(57)【要約】本開示の実施形態は、例えば、無線通信ネットワークにおけるマシンタイプコミュニケーション（ＭＴＣ）データのようなスモールデータペイロードを送信する技術及び構成を記載する。システムは、事前設定された閾値よりも小さいデータペイロードを無線通信ネットワークを介してユーザ設備（ＵＥ）へ送信するトリガをＭＴＣサーバから受信し、ＭＭＥ若しくはＳＧＳＮを含む第１モジュールへの第１リファレンスポイント又はＨＬＲ若しくはＨＳＳを含む第２モジュールへの第２リファレンスポイントを介してデータペイロード及びデータペイロードをＵＥへ転送する要求を送信するよう網間接続機能（ＩＷＦ）を実施する機能を有してよい。
2014523181.tif 000002
【特許請求の範囲】
【請求項１】
命令を有する１又はそれ以上のコンピュータ可読媒体と、該１又はそれ以上のコンピュータ可読媒体と結合される１又はそれ以上のプロセッサとを有し、
前記１又はそれ以上のプロセッサは、
事前設定された閾値よりも小さいデータペイロードを無線通信ネットワークを介してユーザ設備へ送信するトリガをマシンタイプコミュニケーションサーバから受信し、且つ
ＭＭＥ若しくはＳＧＳＮを含む第１モジュールへの第１リファレンスポイント又はＨＬＲ若しくはＨＳＳを含む第２モジュールへの第２リファレンスポイントを介して、前記データペイロードと、該データペイロードを前記ユーザ設備へ転送する要求とを送信する
ように網間接続機能を実施するよう前記命令を実行するよう構成される、
システム。
【請求項２】
前記網間接続機能は、
前記第１モジュールへの前記第１リファレンスポイントを介して、前記データペイロードと、該データペイロードを転送する前記要求とを送信し、且つ
前記マシンタイプコミュニケーションサーバからの前記トリガの受信に応答して、前記データペイロードを前記ユーザ設備へ前記第１リファレンスポイントを介して送信するためのルーティング情報を得るよう前記第１モジュールと通信する
よう構成される、請求項１に記載のシステム。
【請求項３】
前記網間接続機能は、前記第２モジュールへの前記第２リファレンスポイントを介して、前記データペイロードと、該データペイロードを転送する前記要求とを送信するよう構成される、
請求項１に記載のシステム。
【請求項４】
前記網間接続機能は、マシンタイプコミュニケーション網間接続機能を有し、該マシンタイプコミュニケーション網間接続機能は、前記マシンタイプコミュニケーションサーバから当該マシンタイプコミュニケーション網間接続機能へのリファレンスポイントを終端させるよう構成される、
請求項１に記載のシステム。
【請求項５】
前記マシンタイプコミュニケーション網間接続機能は、前記マシンタイプコミュニケーションサーバを認証し且つ該マシンタイプコミュニケーションサーバからの制御プレーン要求を許可するよう、及び前記マシンタイプコミュニケーションサーバから当該マシンタイプコミュニケーション網間接続機能への前記リファレンスポイントを介して受信されるシグナリングプロトコルを中継又は変換するよう構成される、
請求項４に記載のシステム。
【請求項６】
前記第１モジュール及び前記第２モジュールは夫々、前記無線通信ネットワークの制御プレーンを介して前記ユーザ設備へ前記データペイロードを送信するよう構成される、
請求項１に記載のシステム。
【請求項７】
前記網間接続機能は、ＰＧＷを含む第３モジュールへの第３リファレンスポイントを介して前記データペイロードを送信するよう構成され、
前記第３モジュールは、前記無線通信ネットワークのユーザプレーンを介して前記ユーザ設備へ前記データペイロードを送信するよう構成される、
請求項１乃至６のうちいずれか一項に記載のシステム。
【請求項８】
前記網間接続機能は、前記ユーザ設備が接続モードにある場合は前記第３リファレンスポイントを用いて前記データペイロードを送信し、前記ユーザ設備が遊休状態又は接続モードにある場合は前記第１リファレンスポイント又は前記第２リファレンスポイントを用いて前記データペイロードを送信するよう構成される、
請求項７に記載のシステム。
【請求項９】
前記無線通信ネットワークは、ＧＳＭ、ＧＰＲＳ、ＵＭＴＳ、ＨＳＰＡ、Ｅ−ＨＳＰＡ、又はＬＴＥネットワークを含み、
前記無線通信ネットワークは、ＧＥＲＡＮ、ＵＴＲＡＮ又はＥ−ＵＴＲＡＮによってアクセスされる、
請求項１乃至６のうちいずれか一項に記載のシステム。
【請求項１０】
マシンタイプコミュニケーション網間接続機能を実装する装置であって、
無線通信ネットワークを介してユーザ設備へトリガペイロードを送信するように該トリガペイロードを含むデバイストリガ要求メッセージをＳＣＳから受信するよう、及び前記トリガペイロード及び該トリガペイロードを前記ユーザ設備へ転送する要求をＭＭＥ又はＳＧＳＮへ送信するよう構成される通信インターフェースと、
前記無線通信ネットワークにより通信が確立される前に前記ＳＣＳを許可するよう、及び該ＳＣＳからの制御プレーン要求を許可するよう構成されるプロセッサと
を有する装置。
【請求項１１】
前記ＭＭＥ又はＳＧＳＮは、前記ユーザ設備へ転送される前記トリガペイロードの場所を示すスモールデータインジケータを含むページングメッセージを前記無線通信ネットワークの基地局へ送信するよう構成される、
請求項１０に記載のマシンタイプコミュニケーション網間接続機能。
【請求項１２】
前記通信が確立される前に前記ＳＣＮを許可することは、前記ＳＮＳからの制御プレーン要求が許可される前に前記マシンタイプコミュニケーション網間接続機能が前記ＳＮＳを認証すべきことを示す、
請求項１０に記載のマシンタイプコミュニケーション網間接続機能。
【請求項１３】
前記ＭＭＥは、前記ユーザ設備が遊休状態モードにある場合に該ユーザ設備を呼び出すよう構成される、
請求項１１に記載のマシンタイプコミュニケーション網間接続機能。
【請求項１４】
前記ＭＭＥは、前記トリガペイロードが当該ＭＭＥにあることを示す前記スモールデータインジケータを含むページングメッセージを前記基地局へ送信するよう構成される、
請求項１１に記載のマシンタイプコミュニケーション網間接続機能。
【請求項１５】
マシンタイプコミュニケーションサーバからのマシンタイプコミュニケーション網間接続機能によって、事前設定された閾値よりも小さいデータペイロードを無線通信ネットワークを介してユーザ設備へ送信するトリガを受信するステップと、
前記マシンタイプコミュニケーション網間接続機能によって、ＰＧＷへのリファレンスポイントを介して前記データペイロードを送信するステップと
を有する方法。
【請求項１６】
前記ＰＧＷは、前記無線通信ネットワークのユーザプレーンを介して前記ユーザ設備へ前記データペイロードを送信するよう構成される、
請求項１５に記載の方法。
【請求項１７】
前記ＰＧＷによって、前記無線通信ネットワークのＳＧＷへ前記データペイロードを送信するステップ
を更に有する請求項１５に記載の方法。
【請求項１８】
前記ＳＧＷによって、ユーザプレーンを介して前記ユーザ設備へ前記データペイロードを送信するステップ
を更に有する請求項１７に記載の方法。
【請求項１９】
前記リファレンスポイントは第３リファレンスポイントであり、当該方法は、
ＰＧＷへのリファレンスポイントを介して前記マシンタイプコミュニケーション網間接続機能によって送信するときに前記データペイロードが失敗する場合は、前記マシンタイプコミュニケーション網間接続機能によって、ＭＭＥ若しくはＳＧＳＮを含む第１モジュールへの第１リファレンスポイント又はＨＬＲ若しくはＨＳＳを含む第２モジュールへの第２リファレンスポイントを介して、前記データペイロードと、該データペイロードを前記ユーザ設備へ転送する要求とを送信するステップ
を更に有し、
前記第１モジュール又は前記第２モジュールは、前記無線通信ネットワークの制御プレーンを介して前記ユーザ設備へ前記データペイロードを送信するよう構成される、
請求項１５に記載の方法。
【請求項２０】
アンテナと、該アンテナを介して無線通信ネットワークの基地局と通信するよう構成されるプロセッサと、制御モジュールとを有し、
前記制御モジュールは、
前記無線通信ネットワークの前記基地局との無線接続を確立し、
マシンタイプコミュニケーションデータペイロードをマシンタイプコミュニケーションサーバへ転送するよう構成されるマシンタイプコミュニケーション網間接続機能へのインターフェースを介して前記マシンタイプコミュニケーションデータペイロードを転送するよう構成されるＭＭＥ又はＳＧＳＮを含むモジュールへの前記マシンタイプコミュニケーションデータペイロードの転送のために、前記無線接続を介して前記マシンタイプコミュニケーションデータペイロードを前記基地局へ送信する
よう構成される、装置。
【請求項２１】
前記制御モジュールは、ＮＡＳモジュールと、ＡＳモジュールとを更に有し、
前記制御モジュールは更に、前記基地局へＴＭＳＩを伴うＲＲＣ接続要求メッセージを送信するよう前記ＮＡＳモジュールによって前記ＡＳモジュールに要求することによって、前記基地局との接続を確立するよう構成される、
請求項２０に記載の装置。
【請求項２２】
前記ＲＲＣ接続要求メッセージは、短期シグナリングプロシージャが進行中であることを前記基地局に示す値を含む、
請求項２１に記載の装置。
【請求項２３】
前記制御モジュールは更に、前記基地局から受信されるＲＲＣ接続セットアップメッセージに応答して送信されるＲＲＣセットアップ完了メッセージの部分として前記基地局へ前記マシンタイプコミュニケーションデータペイロードを送信するよう構成される、
請求項２１に記載の装置。
【請求項２４】
前記ＲＲＣ接続セットアップ完了メッセージは、
キーセットアップ識別子及びシーケンス番号を含む情報要素と、
暗号化された形での前記マシンタイプコミュニケーションデータペイロードと
を含み、
前記マシンタイプコミュニケーションデータペイロードは、ＮＡＳコンテナにおけるＮＡＳパケットデータユニットとして送信される、
請求項２３に記載の装置。
【請求項２５】
前記基地局は、Ｓ１−ＡＰ初期コンテキストメッセージにおいて前記モジュールへ前記マシンタイプコミュニケーションデータペイロードを転送するよう構成される、
請求項２０乃至２４のうちいずれか一項に記載の装置。
【請求項２６】
前記モジュールは、前記マシンタイプコミュニケーションデータペイロードを解読し、前記マシンタイプコミュニケーション網間接続機能への前記マシンタイプコミュニケーションデータペイロードを含むメッセージに当該装置のアイデンティティ情報を加えるよう構成される、
請求項２０乃至２４のうちいずれか一項に記載の装置。
【請求項２７】
前記制御モジュールは更に、前記マシンタイプコミュニケーションデータペイロードが前記モジュールによって受信されたとの確認応答を受信するよう構成される、
請求項２０乃至２４のうちいずれか一項に記載の装置。
【請求項２８】
前記基地局との前記無線接続は無線リソース制御接続であり、
前記モジュールは、Ｓ１ダウンリンクＮＡＳトランスポートメッセージにおける暗号化されたＮＡＳパケットデータユニットにおいて前記基地局へ前記確認応答を送信するよう構成され、
前記基地局は、当該装置と前記基地局との間の前記無線リソース制御接続を解放する無線リソース制御接続解放メッセージ内のＮＡＳパケットデータユニットにおいて当該装置へ前記確認応答を転送するよう構成される、
請求項２７に記載の装置。
【請求項２９】
前記Ｓ１ダウンリンクＮＡＳトランスポートメッセージは、前記無線リソース制御接続を解放するための、前記基地局への前記モジュールによる要求を更に含む、
請求項２８に記載の装置。
【請求項３０】
前記無線通信ネットワークはインターネットプロトコルベースのネットワークであり、
当該装置は、ラップトップコンピュータ装置、携帯型コンピュータ装置、タブレット、又はネットブックの中の１つを有するユーザ設備であり、
当該装置は、カメラ、キーボード、液晶表示スクリーン、不揮発性メモリポート、複数のアンテナ、グラフィクスチップ、特定用途向け集積回路、又はスピーカの１又はそれ以上を更に有する、
請求項２８に記載の装置。
【発明の詳細な説明】
【技術分野】
【０００１】
本開示の実施形態は、概して、無線通信システムの分野に関し、特に、例えば、無線通信ネットワークにおけるマシンタイプコミュニケーション（ＭＴＣ；Machine  Type  Communication）データのようなスモールデータペイロードを送信する技術及び構成に関する。
【背景技術】
【０００２】
広帯域レートでの情報の伝送を促進するモバイルネットワークは、開発され展開され続けている。そのようなネットワークは、口語的にここでは、広帯域無線アクセス（ＢＷＡ；Broadband  Wireless  Access）ネットワークと呼ばれることがある。様々な異なるデバイスタイプが広帯域無線技術において使用されることがある。そのようなデバイスには、無線広帯域ネットワークを介して通信するよう構成される、例えば、パーソナルコンピュータ、スマートフォン、ラップトップ、ネットブック、ウルトラブック、タブレット、携帯機器、及び音楽プレーヤやデジタルカメラ等のような他の消費者電子機器がある。
【０００３】
マシン・ツー・マシン（Ｍ２Ｍ）は、無線及び有線のシステムが何らのヒトの介在なしに他のデバイスと通信することを可能にする技術を指す。Ｍ２Ｍは、例えば、情報収集するセンサ又はメーターのようなデバイスを使用してよく、収集された情報は、その情報を有意なデータに変換するアプリケーションへネットワーク（例えば、無線、有線、又はその複合）を介して中継されてよい。世界中のＢＷＡネットワークの広がり並びに付随する無線通信の速度／バンド幅の増大及び電力の削減は、Ｍ２Ｍ通信の成長を促してきた。Ｍ２Ｍデバイスによって送信されるデータの量は非常に小さいが、多数のそれらのデバイスが組み合わさるとネットワークの負荷は増大しうる。ＭＴＣデータのようなスモールデータペイロードを送信する現在の技術は効率が悪く、又は新興のＢＷＡネットワークと互換性がないことがある。
【図面の簡単な説明】
【０００４】
【図１】幾つかの実施形態に従う広帯域無線アクセス（ＢＷＡ）の例を概略的に表す。
【図２】幾つかの実施形態に従う、スモールデータペイロードを送信するシステムアーキテクチャを概略的に表す。
【図３ａ】いくかの実施形態に従う、スモールデータペイロードを送信する方法の例を概略的に表す。
【図３ｂ】いくかの実施形態に従う、スモールデータペイロードを送信する方法の例を概略的に表す。
【図３ｃ】いくかの実施形態に従う、スモールデータペイロードを送信する方法の例を概略的に表す。
【図３ｄ】いくかの実施形態に従う、スモールデータペイロードを送信する方法の例を概略的に表す。
【図４】いくかの実施形態に従う、スモールデータペイロードを送信する方法の他の例を概略的に表す。
【図５】いくかの実施形態に従う、スモールデータペイロードを送信する方法の更なる他の例を概略的に表す。
【図６】いくかの実施形態に従う、スモールデータペイロードを送信する方法の別の更なる他の例を概略的に表す。
【図７】幾つかの実施形態に従う、ＢＷＡネットワークにおいてスモールデータペイロードを送信する方法のフロー図である。
【図８】ここで記載される様々な実施形態を実施するために使用され得るシステムの例を概略的に表す。
【発明を実施するための形態】
【０００５】
実施形態は、添付の図面とともに以下の詳細な説明によって容易に理解されるであろう。この説明を容易にするよう、同じ参照符号は同じ構造要素を表す。実施形態は、添付の図面の図において限定ではなく一例として表される。
【０００６】
本開示の実施形態は、例えば、無線通信ネットワークにおけるＭＴＣデータのようなスモールデータペイロードを送信し、スモールデータ通信をトリガ又はモニタし、スモールデータ通信の改善を知らしめる技術及び構成を提供する。以下の詳細な説明において、その一部を構成する添付の図面が参照され、同じ参照符号はその全体を通じて同じ部分を表し、本開示の対象が実施され得る実施形態は単に一例として示される。他の実施形態が利用されてよく、構造上又は論理上の変更が本開示の適用範囲を逸脱することなしになされてよいことが理解されるべきである。従って、以下の詳細な説明は限定の意味でとられるべきではなく、実施形態の適用範囲は添付の特許請求の範囲及びその均等によって定義される。
【０００７】
様々な動作は、複数の別個の動作として、つまり、請求される対象を理解するのに最も有用である態様において、記載される。しかしながら、記載の順序は、それらの動作が必然的に順序に依存することを示すように解釈されるべきでない。特に、それらの動作は、示される順序において実行されなくてもよい。記載される動作は、記載される実施形態とは異なる順序において実行されてよい。様々な付加的な動作が実行されてよく、及び／又は、記載される動作は更なる実施形態では削除されてよい。
【０００８】
本開示のために、「Ａ及び／又はＢ」との表現は、（Ａ）、（Ｂ）又は（Ａ及びＢ）を意味する。本開示のために、「Ａ、Ｂ、及び／又はＣ」との表現は、（Ａ）、（Ｂ）、（Ｃ）、（Ａ及びＢ）、（Ａ及びＣ）、（Ｂ及びＣ）、又は（Ａ、Ｂ及びＣ）を意味する。
【０００９】
明細書は、「実施形態（複数を含む。）において」との表現を使用することがあるが、同じか又は異なる実施形態の１又はそれ以上を参照してよい。更に、本開示の実施形態に関連して使用される「有する」、「含む」、「備える」等の語は同義である。
【００１０】
ここで使用されるように、語「モジュール」は、１以上のソフトウェア若しくはファームウェアプログラム、組み合わせ論理回路、及び／又は記載される機能を提供する他の適切な構成要素を実行する特定用途向け集積回路（ＡＳＩＣ；Application  Specific  Integrated  Circuit）、電子回路、プロセッサ（共有、専用、又はグループ）、及び／又はメモリ（共有、専用、又はグループ）を指すか、その一部であるか、又はそれらを含んでよい。
【００１１】
例となる実施形態は、第３世代パートナーシッププロジェクト（３ＧＰＰ；3rd  Generation  Partnership  Project）及びその派生、ＷｉＭａｘフォーラム、電気電子技術者協会（ＩＥＥＥ；Institute  for  Electrical  and  Electronic  Engineers）８０２．１６標準（例えば、ＩＥＥＥ８０２．１６−２００５改正）、ＬＴＥ（long-term  evolution）プロジェクト、並びにあらゆる改訂、更新、及び／又は改訂（例えば、アドバンスドＬＴＥプロジェクト、ウルトラモバイル広帯域（ＵＭＢ；ultra  mobile  broadband）プロジェクト（“３ＧＰＰ２”とも呼ばれる。）等）によって特定される１又はそれ以上のプロトコルに従って動作するネットワークを含むＢＷＡネットワークに関してここで記載されてよい。ＩＥＥＥ８０２．１６２に適合するＢＷＡネットワークは一般的にＷｉＭＡＸネットワークと呼ばれ、ＷｉＭＡＸはWorldwide  Interoperability  for  Microwave  Accessを表す頭文字であり、ＩＥＥＥ８０２．１６標準の適合及び相互接続テストを通った製品の証明マークである。他の実施形態では、ここで記載される通信方式は、追加／代替の通信規格、仕様、及び／又はプロトコルに準拠してよい。例えば、本開示の実施形態は、同様の利点が得られる他のタイプの無線ネットワークに適用されてよい。そのようなネットワークには、セルラーネットワーク等のような無線ローカルエリアネットワーク（ＷＬＡＮ）、無線パーソナルエリアネットワーク（ＷＰＡＮ）及び／又は無線ワイドエリアネットワーク（ＷＷＡＮ）があるが、それらに限られない。
【００１２】
以下の実施形態は、モバイル無線ラジオシステムの送信機及び受信機を含む様々な用途において使用されてよい。具体的に実施形態の適用範囲内に含まれるラジオシステムには、ネットワークインターフェースカード（ＮＩＣ）、ネットワークアダプタ、基地局、アクセスポイント（ＡＰ）、中継ノード、エンハンスドノードＢ、ゲートウェイ、ブリッジ、ハブ、及び衛星無線電話があるが、それらに限られない。更に、実施形態の適用範囲内にあるラジオシステムには、衛星システム、パーソナル通信システム（ＰＣＳ）、双方向ラジオシステム、グローバルポジショニングシステム（ＧＰＳ）、双方向ページャー、パーソナルコンピュータ（ＰＣ）及び関連する周辺機器、パーソナルデジタルアシスタント（ＰＤＡ）、パーソナルコンピューティングアクセサリ、並びに現実に関係があり且つ実施形態の原理が適切に適用され得る全ての既存の及び将来登場するシステムが含まれてよい。
【００１３】
図１は、幾つかの実施形態に従う例となる広帯域無線アクセス（ＢＷＡ）ネットワーク１００を概略的に表す。ＢＷＡネットワーク１００は、１又はそれ以上の無線アクセスネットワーク（Radio  Access  Network）（以降、“ＲＡＮ２０”）及びコアネットワーク２５を有してよい。
【００１４】
ユーザ設備（ＵＥ；User  Equipment）１５は、例えば、ＲＡＮ２０における基地局４０、４２等のような基地局（ＢＳ；Base  Station）との無線リンク（“リンク”）を介してコアネットワーク２５にアクセスしてよい。ＵＥ１５は、例えば、１又はそれ以上のプロトコルに従って基地局４０、４２と通信するよう構成される加入者局であってよい。以下の記載は、説明の簡単のために３ＧＰＰに従う例となるＢＷＡネットワーク１００に関して与えられるが、本開示の対象はこれに関して制限されず、記載される実施形態は、ここで記載される原理から恩恵を受ける他のネットワークに適用してよい。幾つかの実施形態において、基地局４０、４２は、エンハンスドノードＢ（ｅＮＢ）と、ＭＩＭＯ（multiple-input  and  multiple-output）通信方式を用いて通信するよう構成されるＵＥ１５とを含んでよい。ＵＥ１５の１又はそれ以上のアンテナは、ＢＷＡネットワーク１００の複数の夫々の成分搬送波の無線リソース（例えば、ｅＮＢ４０、４２のアンテナに対応してよい。）を同時に利用するために使用されてよい。ＵＥ１５は、幾つかの実施形態において、例えば、ダウンリンク通信における直交周波数分割多重アクセス（ＯＦＤＭＡ；Orthogonal  Frequency  Division  Multiple  Access）、及び／又は、例えば、アップリンク通信における単一搬送波周波数分割多重アクセス（ＳＣ−ＦＤＭＡ；Single-Carrier  Frequency  Division  Multiple  Access）を用いて通信するよう構成されてよい。
【００１５】
図１は概してＵＥ１５を携帯電話機として表すが、様々な実施形態において、ＵＥ１５はパーソナルコンピュータ（ＰＣ）、ノートブック、ウルトラブック、ネットブック、スマートフォン、ウルトラモバイルＰＣ（ＵＭＰＣ）、携帯型モバイル機器、汎用集積回路カード（ＵＩＣＣ）、パーソナルデジタルアシスタント（ＰＤＡ）、カスタマ構内設備（ＣＰＥ）、タブレット、又はＭＰ３プレーヤやデジタルカメラ等の他の消費者電子機器であってよい。基地局４０、４２は、１又はそれ以上のアンテナと、エアインターフェースで送信又は受信される信号を変調及び／又は復調する１又はそれ以上のラジオモジュールと、エアインターフェースで送信及び受信される信号を処理する１又はそれ以上のデジタルモジュールとを有してよい。
【００１６】
幾つかの実施形態において、ＲＡＮ２０を介したＵＥ１５との通信は１又はそれ以上のノード４５を介して容易にされてよい。１又はそれ以上のノード４５は、コアネットワーク２５とＲＡＮ２０との間のインターフェースとして動作してよい。様々な実施形態に従って、１又はそれ以上のノード４５は、基地局４０、４２とコアネットワーク２５（例えば、１又はそれ以上のサーバ５０）との間のシグナリング交換（例えば、ＵＥ１５の認証）を管理するよう構成されるモバイルマネージメントエンティティ（ＭＭＥ；Mobile  Management  Entity）（例えば、図２のＳＧＳＮ／ＭＭＥ５８）、インターネット６５へゲートウェイルータを提供するパケットデータネットワークゲートウェイ（ＰＧＷ；Packet  Data  Network  Gateway）（例えば、図２のＧＧＳＮ／ＰＧＷ５１）、及び／又はＲＡＮ２０の基地局４０、４２とＰＧＷとの間のユーザデータトンネル又は経路を管理するサービングゲートウェイ（ＳＧＷ；Serving  Gateway）を有してよい。他のタイプのノードが他の実施形態では使用されてよい。
【００１７】
コアネットワーク２５は、ＵＥ１５の認証、又はＢＷＡネットワーク１００とのＵＥ１５の接続状態を提供する通信リンクの確立に関連する他の動作を提供するロジック（又は、モジュール）を有してよい。例えば、コアネットワーク２５は、基地局４０、４２へ通信上結合され得る１又はそれ以上のサーバ５０を有してよい。実施形態において、１又はそれ以上のサーバ５０は、ユーザの国際移動電話加入者識別番号（ＩＭＳＩ；International  Mobile  Subscriber  Identity）、認証情報、等のようなユーザパラメータを管理するために使用され得るホームサブスクライバサーバ（ＨＳＳ；Home  Subscriber  Server）（例えば、図２のＨＬＲ／ＨＳＳ５６）を有してよい。コアネットワーク２５は、他のサーバ、インターフェース、及びモジュールを有してよく、それらの幾つかは更に図２に関連して記載される。１又はそれ以上のサーバ５０は、幾つかの実施形態において放送（ＯＴＡ；over-the-air）サーバを有してよい。幾つかの実施形態において、１又はそれ以上のサーバ５０の異なる機能に関連するロジックは、例えば、単一のマシン又はモジュールにまとめられることを含め、サーバの数を削減するよう結合されてよい。
【００１８】
様々な実施形態に従って、ＢＷＡネットワーク１００はインターネットプロトコル（ＩＰ；Internet  Protocol）ベースのネットワークである。例えば、コアネットワーク２５はＩＰベースのネットワークであってよい。ネットワークノード（例えば、１又はそれ以上のノード４５）の間のインターフェースは、基地局４０、４２への帰路接続を含め、ＩＰに基づいてよい。幾つかの実施形態において、ＢＷＡネットワーク１００は、ＧＳＭ（登録商標）（Global  System  for  Mobile  Communication）、ＧＰＲＳ（General  Packet  Radio  Service）、ＵＭＴＳ（Universal  Mobile Telecommunications  System）、ＨＳＰＡ（High  Speed  Packet  Access）、Ｅ−ＨＳＰＡ（Evolved   High  Speed  Packet  Access）、又はＬＴＥ（Long  Term  Evolution）ネットワークを含む。幾つかの実施形態において、ＲＡＮ２０は、ＧＥＲＡＮ（GSM  EDGE  Radio  Access  Network）（ＥＤＧＥはEnhanced  Data  for  GSM  Evolutionの略）、ＵＴＲＡＮ（Universal  Terrestrial  Radio  Access  Network）、又はＥ−ＵＴＲＡＮ（Evolved   Universal  Terrestrial  Radio  Access  Network）を有してよい。ＢＷＡネットワーク１００は、他の実施形態では他のネットワーク技術に従って動作してよい。
【００１９】
図２は、幾つかの実施形態に従う、スモールデータペイロードを送信する例となるシステムアーキテクチャ２００を概略的に表す。システムアーキテクチャ２００は、例えば、ＭＴＣ通信のようなＭ２Ｍ通信による使用を目的としたスモールデータ送信を有効に実施するよう構成されてよい。例えば、ＵＥ１５は、送信のために少量の情報を収集するスマートメーター又はセンサ（例えば、温度、品揃え等に関する情報を収集するよう構成される健康管理装置、自動販売機、等）を有するか、又はそれに通信上結合されてよい。幾つかの実施形態において、アプリケーション（Ａｐｐ）サーバ２６は、メッセージ（例えば、センサ又はメーター測定、在庫水準等のようなＭＴＣ情報を要求する）においてスモールデータペイロードを送信するよう構成されてよい。データペイロード（例えば、ＭＴＣデータペイロード）は、幾つかの実施形態においてスモールデータペイロードを定義する事前に設定された閾値よりも小さくてよい。事前に設定された閾値は、幾つかの実施形態において、サブスクリプション又はネットワークオペレータによって設定されてよい。
【００２０】
様々な実施形態に従って、スモールデータペイロードは、ＵＥ１５によって、ＭＴＣサーバ５２又はアプリケーションサーバ２６へＲＡＮ２０及びコアネットワーク２５を介して送信されてよく、あるいは、スモールデータペイロードは、アプリケーションサーバ２６又はＭＴＣサーバ５２によってＵＥ１５へコアネットワーク２５及びＲＡＮ２０を介して送信されてよい。例えば、アプリケーションサーバ２６は、ＵＥ１５へのスモールデータペイロードを送信し又は該送信をトリガするよう（例えば、ＭＴＣユーザによって）構成されてよい。アプリケーションサーバ２６は、例えば、インターネット接続（例えば、図１のインターネット６５）によりコアネットワーク２５と通信上結合されてよい。他の実施形態では、ＵＥ１５と通信上結合されるＭＴＣアプリケーション（Ａｐｐ）２４が、アプリケーションサーバ２６へスモールデータペイロードを送信し又は該送信をトリガするよう構成されてよい。幾つかの実施形態において、ＵＥ１５は、スモールデータペイロードを送信若しくは受信し及び／又はＭＴＣアプリケーション２４と通信するよう構成されるＭＴＣデバイスである。幾つかの実施形態において、ＵＥ１５はＭＴＣアプリケーション２４を有してよい。
【００２１】
システムアーキテクチャ２００は、ＭＴＣ通信のために構成されるＵＥ（例えば、ＵＥ１５）と通信するようにコアネットワーク２５へ接続するよう構成されるＭＴＣサーバ５２を有する。ＭＴＣサーバ５２は更に、スモールデータペイロードの送信をトリガするようにＭＴＣ−ＩＷＦ５４のような網間接続機能（ＩＷＦ；Interworking  Function）と通信するよう構成されてよい。幾つかの実施形態において、ＭＴＣサーバ５２はＳＣＳ（Services  Capability  Server）と呼ばれることがある。
【００２２】
ＭＴＣ−ＩＷＦ５４は、ＭＴＣサーバ５２とＭＴＣ−ＩＷＦ５４との間のＭＴＣｓｐリファレンスポイント又はインターフェース（以降、「リファレンスポイント」）を終端してよい。ＭＴＣ−ＩＷＦ５４は、内部のＰＬＭＮ（public  land  mobile  network）技術を隠し、且つ、ＰＬＭＮにおいて特定の機能を呼び出すようにＭＴＣｓｐリファレンスポイント上で使用されるシグナリングプロトコルを中継又は変換するよう構成されてよい。幾つかの実施形態において、ＭＴＣ−ＩＷＦ５４は、コアネットワーク２５により通信が確立され及び／又はＭＴＣサーバ５２からの制御プレーン要求が許可される前に、ＭＴＣサーバ５２を認証してよい。様々な実施形態に従って、モジュール（例えば、５４、５８）間の破線は制御プレーンを表し、モジュール間の実線はユーザプレーンを表す。特定のプレーンがモジュール間で示され得るが、他の実施形態は追加／代替のプレーンを有してよい。
【００２３】
一実施形態において、ＭＴＣ−ＩＷＦ５４は、例えば、ＳＧＳＮ／ＭＭＥ５８のようなＭＭＥ（Mobility  Management  Entity）及び／又はサービングＧＰＲＳ（General  Packet  Radio  Service）サポートノード（ＳＧＳＮ）を含むモジュール間のＭＴＣｘリファレンスポイントを終端してよい。幾つかの実施形態において、第１のＭＴＣｘ１リファレンスポイントはＳＧＳＮ／ＭＭＥ５８のＭＭＥで終わってよく、第２のＭＴＣｘ２リファレンスポイントはＳＧＳＮ／ＭＭＥ５８のＳＧＳＮで終わってよい。他の実施形態では、ＭＴＣ−ＩＷＦ５４は、例えば、ＨＬＲ／ＨＳＳ５６のようなＨＬＲ（Home  Location  Register）及び／又はＨＳＳ（Home  Subscriber  Server）を含むモジュールの間のＭＴＣｙリファレンスポイントを終端してよい。他の実施形態では、ＭＴＣ−ＩＷＦ５４は、例えば、ＧＧＳＮ／ＰＧＷ５１のようなゲートウェイＧＰＲＳサポートノード（ＧＧＳＮ）及び／又はＰＧＷ（Packet  Data  Network  Gateway）を含むモジュール間のＭＴＣｚリファレンスポイントを終端してよい。ＭＴＣｘ、ＭＴＣｙ及びＭＴＣｚの各リファレンスポイントは、与えられている例となる名称（例えば、ＭＴＣｘ、ＭＴＣｙ及びＭＴＣｚ）に制限されず、他の実施形態では他の名称で呼ばれてよい。
【００２４】
様々な実施形態に従って、ＭＴＣｘリファレンスポイントは、ＭＴＣサーバ５２からのインジケーションに基づきネットワーク（例えば、３ＧＰＰ  ＰＬＭＮ）へ制御パケット情報を送信するために使用されてよい。ＭＴＣｙリファレンスポイントは、ＭＴＣデバイス識別子又はＭＴＣアプリケーション識別子からネットワーク識別子（例えば、ＩＭＳＩ又はＭＳＩＳＤＮ（Mobile  Station  International  Subscriber  Directory  Number）のような３ＧＰＰ内部デバイス識別子）を得ることによってダウンリンクのスモールデータペイロードのためのルーティング情報を導出するために使用されてよい。ＭＴＣｚリファレンスポイントは、ＧＳＳＮ／ＰＧＷ５１へユーザプレーンを介してスモールデータペイロードを送信するために使用されてよい。
【００２５】
様々な実施形態に従って、システムアーキテクチャ２００は、様々な実施形態においてＭＴＣｘ、ＭＴＣｙ又はＭＴＣｚの各リファレンスポイントの１又はそれ以上を有してよい。例えば、システムアーキテクチャ２００は、一実施形態ではリファレンスポイントＭＴＣｘ及びＭＴＣｙしか有さなくてよい。他の実施形態では、システムアーキテクチャ２００は、リファレンスポイントＭＴＣｚしか有さなくてよい。他の実施形態では、システムアーキテクチャ２００は、ＭＴＣｘ、ＭＴＣｙ及びＭＴＣｚの全てのリファレンスポイントを有してよい。システムアーキテクチャ２００は、ＨＬＲ／ＨＳＳ５６とＳＧＳＮ／ＭＭＥ５８との間のＧｒ／Ｓ６ａ／Ｓ６ｄリファレンスポイントと、アプリケーションサーバ２６とＭＴＣサーバ５２との間のリファレンスポイントＡＰＩ（Application  Programming  Interface）と、ＳＧＳＮ／ＭＭＥ５８とＲＡＮ２０との間のリファレンスポイントＳ１と、ＲＡＮ２０とＵＥ１５との間のリファレンスポイントＵｍ／Ｕｕ／ＬＴＥ−ＵＵとを更に有してよい。
【００２６】
システムアーキテクチャ２００は、シグナリングオーバーヘッド、ネットワークリソース、又は再割当のための遅延といったネットワークへの影響をほとんど有さずにスモールデータペイロードの送信をサポートすることができる。幾つかの実施形態において、ＵＥ１５は、（例えば、スモールデータペイロードの送信がトリガされる場合に）スモールデータペイロードの送信の前にＲＡＮ２０から分離又は参加（例えば、確立されたＲＲＣ（Radio  Resource  Control）接続による）してよい。ＵＥ１５は、幾つかの実施形態において、スモールデータペイロードの送信がトリガされる場合に接続モード又は遊休状態モードにあってよい。システムアーキテクチャ２００（例えば、ＭＴＣ−ＩＷＦ５４）は、ＵＥ１５が接続モードにある場合は、ＵＥ１５とＧＧＳＮ／ＰＧＷ５１との間に確立されたユーザプレーンデータ経路と、ＭＴＣｚインターフェースとを介して、ＵＥ１５が遊休状態モードにある場合は、ＭＴＣｘ又はＭＴＣｙの一方を用いる制御プレーンを介して、スモールデータペイロードを優先的に送信するポリシーにより設定されてよい。幾つかの実施形態において、ＵＥ１５が遊休状態モードにある場合に、システムアーキテクチャ２００は、ＭＴＣｘリファレンスポイントを介してスモールデータペイロードを優先的に送信するよう構成されてよい。
【００２７】
様々な実施形態に従って、システムアーキテクチャ２００は、様々な組み合わせにおいてＭＴＣｘ、ＭＴＣｙ又はＭＴＣｚの各リファレンスポイントの１又はそれ以上を介してスモールデータペイロードを送信するよう構成されてよい。例えば、システムアーキテクチャ２００は、一実施形態ではリファレンスポイントＭＴＣｘ及びＭＴＣｙを介してのみスモールデータペイロードを送信するよう構成されてよい。他の実施形態では、システムアーキテクチャ２００は、リファレンスポイントＭＴＣｚを介してのみスモールデータペイロードを送信するよう構成されてよい。他の実施形態では、システムアーキテクチャ２００は、ＭＴＣｘ、ＭＴＣｙ及びＭＴＣｚの全てのリファレンスポイントを介して直接にスモールデータペイロードを送信するよう構成されてよい。他の実施形態では、システムアーキテクチャ２００は、ＭＴＣｘ又はＭＴＣｙの一方のみのリファレンスポイントとＭＴＣｚのリファレンスポイントとを介してのみスモールデータペイロードを送信するよう構成されてよい。システムアーキテクチャ２００は、他の実施形態では記載されている以外のリファレンスポイントを介してスモールデータペイロードを送信するよう構成されてよい。
【００２８】
図３ａは、幾つかの実施形態に従う、スモールデータペイロードを送信する例となる方法３００ａを概略的に表す。方法３００ａは、第１の技術Ｔ１に従ってＭＴＣｘリファレンスポイントを介してＵＥ１５へスモールデータペイロード（例えば、ダウンリンク）を送信する方法を表す。
【００２９】
図２及び図３ａを参照して、３０２で、ＭＴＣサーバ５２は、スモールデータペイロードの送信をトリガするようメッセージをＭＴＣ−ＩＷＦ５４へ送信してよい。ＭＴＣサーバ５２は、スモールデータペイロードを受信すべき目標ＵＥ（例えば、ＵＥ１５）を示すようＭＴＣデバイス識別（ＩＤ）及び／又はＭＴＣアプリケーション（例えば、ＭＴＣアプリケーション２４）ＩＤをメッセージに含めてよい。ＭＴＣサーバ５２は更に、幾つかの実施形態においてスモールデータペイロードをメッセージに含めるか、又は別なふうにしてＭＴＣ−ＩＷＦ５４へ送信してよい。他の実施形態では、アプリケーションサーバ２６は、スモールデータペイロードを直接にＭＴＣ−ＩＷＦ５４へ送信してよい。幾つかの実施形態において、セキュア接続が３０２での送信のためにＭＴＣ−ＩＷＦ５４とＭＴＣサーバ５２との間に確立されてよい。
【００３０】
３０４で、３０２でのトリガの受信に応答して、ＭＴＣ−ＩＷＦ５４は、ＭＴＣｘリファレンスポイントを介してＵＥ１５へスモールデータペイロードを供給するためのルーティング情報を得るようＨＬＲ／ＨＳＳ５６にクエリを行ってよい。幾つかの実施形態において、ＭＴＣ−ＩＷＦ５４はＭＴＣデバイスＩＤをＨＬＲ／ＨＳＳ５６へ送信してよく、ＨＬＲ／ＨＳＳ５６はＭＴＣサブスクリプションの部分としてＭＴＣデバイスＩＤを有してよい。ＨＬＲ／ＨＳＳ５６はＭＴＣデバイスＩＤをＵＥ１５のＩＭＳＩにマッピングし、ＳＧＳＮ／ＭＭＥ５８に関するアドレスとともにＭＴＣ−ＩＷＦ５４へ返送してよい。信頼できる関係が、幾つかの実施形態において（例えば、ＭＴＣ−ＩＷＦ５４がコアネットワークのオペレータのドメインの外にある場合に）ＭＴＣ−ＩＷＦ５４とＨＬＲ／ＨＳＳ５６との間に確立され得る。ＭＴＣ−ＩＷＦ５４からの３０４でのクエリの受信に応答して、ＨＬＲ／ＨＳＳ５６は、サービングノード識別子及び／又はオペレータポリシー、認証情報、原因値と伴う失敗表示等のような他の情報をＭＴＣ−ＩＷＦ５４へ送信してよい。
【００３１】
３０６で、ＭＴＣ−ＩＷＦ５４は、スモールデータペイロードと、スモールデータペイロードを転送する要求とを、ＭＴＣｘリファレンスポイントを介してＳＧＳＮ／ＭＭＥ５８へ送信してよい。ＭＴＣ−ＩＷＦ５４は、要求及びスモールデータペイロードをＳＧＳＮ／ＭＭＥ５８へ送信するためにＩＭＳＩを使用してよい。
【００３２】
ＳＧＳＮ／ＭＭＥ５８からＵＥ１５へスモールデータペイロードを送信する第１の技術Ｔ１に従って、ＳＧＳＮ／ＭＭＥ５８は、ＵＥ１５が接続状態にあると決定し、３０８ａで、スモールデータペイロードをＵＥ１５へアップリンク／ダウンリンク（ＵＬ／ＤＬ）ＮＡＳ（Non-Access  Stratum）シグナリングにより転送してよい。例えば、ＳＧＳＮ／ＭＭＥ５８は、ＵＥ１５の所在を示すようコンテキスト（例えば、局所記憶された）が既に存在すると決定することによって、ＵＥ１５が接続状態にあると決定してよい。ＳＧＳＮ／ＭＭＥ５８は、スモールデータペイロードをＵＥ１５へ、例えば、ダウンリンクＮＡＳトランスポートメッセージにより送信してよい。スモールデータペイロードがＵＥ１５へ送信されたとの確認応答が、３０８ａでの接続の間にＳＧＳＮ／ＭＭＥ５８によって受信されてよい。
【００３３】
３１６で、ＳＧＳＮ／ＭＭＥ５８は、スモールデータペイロードがＵＥ１５へ送信されたとの確認応答をＭＴＣ−ＩＷＦ５４へ転送してよい。３１８で、ＭＴＣ−ＩＷＦ５４は、スモールデータペイロードがＵＥ１５へ供給されたとの確認応答を送信するようＭＴＣサーバ５２へトリガを送信してよい。ＭＴＣサーバ５２は、例えば、トリガに応答してアプリケーションサーバ２６へ確認応答を送信してよい。
【００３４】
図３ｂは、幾つかの実施形態に従う、スモールデータペイロードを送信する例となる方法３００ｂを概略的に表す。方法３００ｂは、第２の技術Ｔ２に従ってＭＴＣｘリファレンスポイントを介してＵＥ１５へスモールデータペイロード（例えば、ダウンリンク）を送信する方法を表す。方法３００ｂの３０２乃至３０６及び３１６乃至３１８の動作は、方法３００ａの同じ番号の動作に関して記載された実施形態に適合してよい。
【００３５】
ＳＧＳＮ／ＭＭＥ５８からＵＥ１５へスモールデータペイロードを送信する第２の技術Ｔ２に従って、ＳＧＳＮ／ＭＭＥ５８は、ＵＥ１５が遊休状態にあると決定してよく、３０８ｂで、スモールデータペイロードをページングメッセージにおいてＲＡＮ２０（例えば、図１の基地局４０又は４２）へ送信してよい。ＲＡＮ２０は、３１０ｂで、スモールデータペイロードを含むページングメッセージをＵＥ１５へ送信してよい。例えば、スモールデータペイロードは、遊休状態モードにある目的のＵＥ１５のトラッキングエリアにおいて送信されるページングメッセージに含まれてよい。ＳＧＳＮ／ＭＭＥ５８は、幾つかの実施形態において、制御プレーンを介してスモールデータペイロードを含むページングメッセージを送信するよう構成されてよい。幾つかの実施形態において、ＲＡＮ２０は、３１４ｂでスモールデータ確認応答をＳＧＳＮ／ＭＭＥ５８へ送信することによって、スモールデータペイロードの供給が成功したことをＳＧＳＮ／ＭＭＥ５８に知らせてよい。確認応答は、３１６でＭＴＣ−ＩＷＦ５４へ転送されてよい。
【００３６】
図３ｃは、幾つかの実施形態に従う、スモールデータペイロードを送信する例となる方法３００ｃを概略的に表す。方法３００ｃは、第３の技術Ｔ３に従ってＭＴＣｘリファレンスポイントを介してＵＥ１５へスモールデータペイロード（例えば、ダウンリンク）を送信する方法を表す。方法３００ｃの３０２乃至３０６及び３１６乃至３１８の動作は、方法３００ａの同じ番号の動作に関して記載された実施形態に適合してよい。
【００３７】
ＳＧＳＮ／ＭＭＥ５８からＵＥ１５へスモールデータペイロードを送信する第３の技術Ｔ３に従って、ＳＧＳＮ／ＭＭＥ５８は、ＵＥ１５が遊休状態にあると決定してよく、３０８ｃで、スモールデータペイロードを含むページングメッセージにおいてＲＡＮ２０（例えば、図１の基地局４０又は４２）へ送信してよい。ページングメッセージは、スモールデータペイロードがＲＡＮに（例えば、図１の基地局４０又は４２に）あることを示す任意のスモールデータインジケータを更に含んでよい。幾つかの実施形態において、ＳＧＳＮ／ＭＭＥ５８は、スモールデータペイロードをＳ１リファレンスポイントを介してＲＡＮ２０へ送信してよい。
【００３８】
幾つかの実施形態において、ＲＡＮ２０は、ページングメッセージからスモールデータペイロードを取り出し及び／又は記憶し、３１０ｃで、スモールデータペイロードを伴わずにページングメッセージをＵＥ１５へ送信してよい。ＲＡＮ２０は、ページングメッセージによりスモールデータインジケータを含めてよい。ＵＥ１５が（ＲＲＣ接続によって）ＲＡＮ２０に参加する前にスモールデータペイロードがＲＡＮ２０にある幾つかの実施形態では、ＵＥ１５は、３１０ｃで、スモールデータペイロードがＲＡＮ２０にあることを示すスモールデータインジケータとともにページングメッセージを受信してよい。
【００３９】
３１２ｃで、ＵＥ１５は、例えば、ＲＲＣ接続の確立によって、ＲＡＮ２０への付属プロセスを開始してよい。例えば、ＲＲＣ接続の確立は、３１０ｃでのページングメッセージに応答してＲＡＮ２０へのＲＲＣ接続要求メッセージにおいてＵＥ１５によって要求されてよい。ＲＡＮ２０は、ＲＲＣ接続セットアッププロシージャに関連する信号を介してスモールデータペイロードをＵＥ１５へ供給してよい。ＵＥ１５がスモールデータペイロードを受信する場合に、ＵＥ１５はＲＲＣ接続セットアッププロシージャを終了してよく、他のデータがＵＥ１５によって送信又は受信されるべきでない場合は遊休状態モードへ戻ってよい。幾つかの実施形態において、ＲＡＮ２０は、３１４ｃでスモールデータ確認応答をＳＧＳＮ／ＭＭＥ５８へ送信することによって、スモールデータペイロードの供給が成功したことをＳＧＳＮ／ＭＭＥ５８に知らせてよい。
【００４０】
図３ｄは、幾つかの実施形態に従う、スモールデータペイロードを送信する例となる方法３００ｄを概略的に表す。方法３００ｄは、第４の技術Ｔ４に従ってＭＴＣｘリファレンスポイントを介してＵＥ１５へスモールデータペイロード（例えば、ダウンリンク）を送信する方法を表す。方法３００ｄの３０２乃至３０６及び３１６乃至３１８の動作は、方法３００ａの同じ番号の動作に関して記載された実施形態に適合してよい。
【００４１】
ＳＧＳＮ／ＭＭＥ５８からＵＥ１５へスモールデータペイロードを送信する第４の技術Ｔ４に従って、ＳＧＳＮ／ＭＭＥ５８は、ＵＥ１５が遊休状態にあると決定してよく、３０８ｄで、ＵＥ１５へ供給又は転送される必要があるＳＧＳＮ／ＭＭＥ５８でのスモールデータペイロードの存在を示すスモールデータインジケータを含むことができるページングメッセージを送信してよい。３１０ｄで、ＲＡＮ２０は、ＵＥ１５に向けられるスモールデータペイロードがＳＧＳＮ／ＭＭＥ５８にあることを示すよう、スモールデータインジケータを含むページングメッセージをＵＥ１５へ送信してよい。ＵＥ１５が（ＲＲＣ接続によって）ＲＡＮ２０に参加する前にスモールデータペイロードがＳＧＳＮ／ＭＭＥ５８にある幾つかの実施形態では、ＵＥ１５は、３１０ｄで、スモールデータペイロードがＳＧＳＮ／ＭＭＥ５８にあることを示すスモールデータインジケータとともにページングメッセージを受信してよい。３１０ｄでのページングメッセージに応答して、ＵＥ１５は、３１２ｄで、例えば、ＲＲＣ接続の確立によって、ＲＡＮ２０への付属プロセスを開始し、３１４ｄで、ＲＡＮ２０へアタッチ／サービス要求メッセージのようなＮＡＳメッセージを送信することによってＳＧＳＮ／ＭＭＥ５８との付属プロセスを開始してよい。ＲＡＮ２０は、ＮＡＳメッセージをＳＧＳＮ／ＭＭＥ５８へ転送してよい。３１４ｄでの付属プロセスの間、ＳＧＳＮ／ＭＭＥ５８は、ＮＡＳシグナリング、例えば、アタッチ応答、サービス要求応答、ＤＬ  ＮＡＳトランスポートメッセージ等により、スモールデータペイロードをＵＥ１５へ送信してよい。
【００４２】
３１４ｄで付属プロセスを開始するようＵＥ１５によって送信されるＮＡＳメッセージの内容は、３１０ｄでＵＥ１５によって受信されるページングメッセージの内容に依存してよい。例えば、３１０ｄでのページングメッセージが、スモールデータペイロードがＳＧＳＮ／ＭＭＥ５８にあることを示すスモールデータインジケータしか含まない場合には、ＵＥ１５は、暗号及びインテグリティキーに関連づけられ得るキー設定識別子（ＫＳＩ；Key  Set  Identifier）と、ＵＥ１５に関するカウンタ値であってよいシーケンス番号とを含む情報要素をＮＡＳメッセージに含めてよい。ＳＧＳＮ／ＭＭＥ５８のＭＭＥは、ＵＥ１５への供給のためのスモールデータペイロードを暗号化するために、ＫＳＩと、シーケンス番号と、Ｓ−ＴＭＳＩ（ＳはＳＡＥ（System  Architecture  Evolution）を指す。）のようなＴＮＳＩ（Temporary  Mobile  Subscriber  Identity）とを使用してよい。ＵＥ１５がスモールデータペイロードを受信する場合に、ＵＥ１５は付属プロセスを終了してよく、他のデータがＵＥ１５によって送信又は受信されるべきでない場合は遊休状態モードへ戻るよう構成されてよい。
【００４３】
３１０ｄで送信されるページングメッセージが（例えば、図３ｂの３１０ｂで）スモールデータペイロードを含む幾つかの実施形態では、ＵＥ１５は、ＭＴＣサーバ５２からのスモールデータペイロードへの応答メッセージを送信するようネットワークオペレータポリシーによって求められても又は求められなくてもよい。ネットワークオペレータポリシーが如何なる応答の送信も要求しない場合に、ＵＥ１５は、３１４ｄで付属プロセスを開始するよう送信されるＮＡＳメッセージにおいてＭＴＣデータ確認応答のような確認応答を含む情報要素を含めるよう構成されてよい。ネットワークオペレータポリシーが応答の送信を要求する場合に、ＵＥ１５は、３１４ｄで付属プロセスを開始するよう送信されるＮＡＳメッセージにおいてＫＳＩ及びシーケンス番号並びにＮＡＳパケットデータユニット（ＰＤＵ）のような暗号化された応答ペイロードを含む情報要素を含めてよい。ＵＥ１５が３１４ｄでＮＡＳコンテナに入れるべき複数の応答メッセージ又は更なるデータを有する場合は、ＵＥ１５は、更なるデータが後に続くべきことをＮＡＳコンテナにおいて示してよい。アタッチ／サービス要求メッセージが３１４ｄで付属プロセスを開始するようＵＥ１５によって送信された後、ＵＥ１５は、ＳＧＳＮ／ＭＭＥ５８へのアップリンク情報伝送メッセージにおけるＮＡＳ  ＰＤＵにおいて更なるデータを含めてよい。幾つかの実施形態において、ＵＥ１５がＭＴＣサーバ５２へ送信されるべきアップリンクスモールデータペイロードを有する場合は、ＵＥ１５は、パケットデータプロトコル（ＰＤＰ）コンテキスト及び／又はＰＤＰベアラをアクティブにし、（例えば、図２のＧＧＳＮ／ＰＧＷ５１を介して）ユーザプレーンにおいてアップリンクデータを送信してよい。
【００４４】
ＳＧＳＮ／ＭＭＥ５８へＵＥ１５によって送信される（３１４ｄでの付属プロセスの）ＮＡＳメッセージがＫＳＩ及びシーケンス番号しか含まない実施形態では（例えば、３１０ｄでのページングメッセージが、スモールデータペイロードがＳＧＳＮ／ＭＭＥ５８にあることを示すスモールデータインジケータしか含まない場合）、ＳＧＳＮ／ＭＭＥ５８は、例えば、ＵＥ１５へのＳ１ダウンリンクＮＡＳトランスポートメッセージにおけるＮＡＳ  ＰＤＵに含まれる暗号化された情報要素のような、ＮＡＳメッセージにおける暗号化された情報要素においてスモールデータペイロードを送信してよい。ＵＥ１５は、スモールデータペイロードを伴うＮＡＳメッセージに応答して応答メッセージ又は確認応答を送信してよい。確認応答は、例えば、アップリンク情報伝送メッセージにおけるＮＡＳ  ＰＤＵに含まれる暗号化された情報要素における確認応答を含んでよい。ＵＥ１５は、ＵＥ１５が送信すべき更なるデータを有さない場合に、３１２ｄでのＲＲＣ接続の解放を要求するアップリンク情報伝送メッセージにおける情報要素を応答メッセージ又は確認応答に更に含めてよい。
【００４５】
幾つかの実施形態において、３１４ｄで付属プロセスを開始するよう送信されるＮＡＳメッセージ（例えば、アタッチ／サービス要求メッセージ）が、ＭＴＣデータ確認応答のような確認応答を含む情報要素を含む場合は（例えば、ネットワークオペレータポリシーが、スモールデータペイロードのＵＥ１５による受信に対する応答の送信を要求しない場合）、ＳＧＳＮ／ＭＭＥ５８は、３１６ｄでデータ確認応答をＭＴＣ−ＩＷＦ５４へ送信又は転送してよい。３１４ｄで付属プロセスを開始するよう送信されるＮＡＳメッセージ（例えば、アタッチ／サービス要求メッセージ）が、ＫＳＩ及びシーケンス番号並びにＮＡＳコンテナにおけるＮＡＳ  ＰＤＵのような暗号化された応答ペイロードを含む情報要素を含む場合は（例えば、ネットワークオペレータポリシーが、スモールデータペイロードのＵＥ１５による受信に対する応答の送信を要求する場合）、ＳＧＳＮ／ＭＭＥ５８はＮＡＳ  ＰＤＵを解読し、３１６ｄで、応答ペイロードをＭＴＣ−ＩＷＦ５４へ転送してよい。ＳＧＳＮ／ＭＭＥ５８はまた、ＵＥ１５へＳ１ダウンリンクＮＡＳトランスポートメッセージにおけるＮＡＳ  ＰＤＵに含まれる暗号化された情報要素において確認応答を送信してよい。
【００４６】
幾つかの実施形態において、Ｓ１ダウンリンクＮＡＳトランスポートメッセージは、ＳＧＳＮ／ＭＭＥ５８のＭＭＥが、３１２ｄでのＲＲＣ接続を解放するようＲＡＮ２０の基地局に要求することを可能にする情報要素を含んでよい。ＭＭＥは、複数の応答目セージが転送されるべきであることを予めＵＥ１５が示している場合は、このインジケーションを使用しなくてよい。
【００４７】
図４は、幾つかの実施形態に従う、スモールデータペイロードを送信する他の例となる方法４００を概略的に表す。方法４００は、ＭＴＣｙリファレンスポイントを介してＵＥ１５へスモールデータペイロード（例えば、ダウンリンク）を送信する方法を表す。方法４００は、別なふうに示されている場合を除いて、図３ａ乃至３ｄの方法３００ａ乃至ｄに関して記載された実施形態に適合してよい。例えば、スモールデータペイロードは、４１５で、図３ａ乃至３ｄに関して記載された第１、第２、第３又は第４の技術（例えば、Ｔ１、Ｔ２、Ｔ３又はＴ４）に従って、ＳＧＳＮ／ＭＭＥ５８からＵＥ１５へ送信されてよい。
【００４８】
図２及び図４を参照して、３０２で、ＭＴＣサーバ５２は、スモールデータペイロードの送信をトリガするようメッセージをＭＴＣ−ＩＷＦ５４へ送信してよい。３０２での動作は、図３ａの３０２に関して記載された実施形態に適合してよい。４０４で、ＭＴＣ−ＩＷＦ５４は、スモールデータペイロードと、スモールデータペイロードを転送する要求（例えば、転送スモールデータ要求）とをＭＴＣｙリファレンスポイントを介してＨＬＲ／ＨＳＳ５６へ送信してよい。ＭＴＣ−ＩＷＦ５４は、ＨＬＲ／ＨＳＳ５６へ目標ＵＥ（例えば、ＵＥ１５）を示すようＭＴＣデバイス識別（ＩＤ）及び／又はＭＴＣアプリケーションＩＤ（例えば、ＭＴＣアプリケーション２４のＩＤ）をメッセージにおいて使用してよい。信頼できる関係が、幾つかの実施形態において（例えば、ＭＴＣ−ＩＷＦ５４がコアネットワークのオペレータのドメインの外にある場合に）ＭＴＣ−ＩＷＦ５４とＨＬＲ／ＨＳＳ５６との間に確立され得る。
【００４９】
ＨＬＲ／ＨＳＳ５６は、ＭＴＣサブスクリプションの部分としてＭＴＣデバイスＩＤを有してよい。ＨＬＲ／ＨＳＳ５６は、ＭＴＣデバイスＩＤをＵＥ１５のＩＭＳＩへマッピングし、目標のＳＧＳＮ／ＭＭＥ５８を導出するよう構成されてよい。４０６で、ＨＬＲ／ＨＳＳ５６は、スモールデータペイロードをＳＧＳＮ／ＭＭＥ５８へ（例えば、図２のリファレンスポイントＧｒ／Ｓ６ａ／Ｓ６ｄを介して）送信してよい。スモールデータペイロードは、例えば、通知要求メッセージにおいて送信されてよい。
【００５０】
４１５で、ＳＧＳＮ／ＭＭＥ５８は、スモールデータペイロードをＵＥ１５へ送信してよい。４１６で、ＳＧＳＮ／ＭＭＥ５８は、図３ａ乃至３ｄに関して記載された応答又は確認応答をＨＬＲ／ＨＳＳ５６へ送信又は転送してよい。４１８で、ＨＬＲ／ＨＳＳ５６は、応答又は確認応答をＭＴＣ−ＩＷＦ５４へＭＴＣｙリファレンスポイントを介して転送してよい。
【００５１】
４２０で、ＭＴＣ−ＩＷＦ５４は、スモールデータペイロードがＵＥ１５へ供給されたとの確認応答を送信するようＭＴＣサーバ５２へトリガを送信してよい。ＭＴＣサーバ５２は、例えば、アプリケーションサーバ２６へ確認応答を送信してよい。様々な実施形態に従って、図３ａ乃至３ｄ及び図４に関して記載される技術は組み合わされてよい。例えば、スモールデータペイロードはＭＴＣｘリファレンスポイントを介して送信されてよく、確認応答はＭＴＣｙリファレンスポイントを介して受信されてよく、あるいは、その逆であってもよい。
【００５２】
図５は、幾つかの実施形態に従う、スモールデータペイロードを送信する更なる他の例となる方法５００を概略的に表す。方法５００は、ＭＴＣｚリファレンスポイントを介してＵＥ１５へスモールデータペイロード（例えば、ダウンリンク）を送信する方法を表す。方法５００はＬＴＥ／ＥＰＣ（Long  Term  Evolution/Evolved  Packet  Core）システムに関して記載されるが、同様の概念は他のシステムに適用してよい。
【００５３】
ＭＴＣサーバ５２は、図３ａの方法３００ａに関して記載されたように、スモールデータペイロードを送信するトリガを受信してよい。５０２で、トリガの受信に応答して、ＭＴＣサーバ５２は、５０４でＰＧＷ４２（例えば、図２のＧＧＳＮ／ＰＧＷ５１のＰＧＷ）へＭＴＣｚリファレンスポイントを介してスモールデータペイロードを送信してよい。５０６で、ＰＧＷ４２は、確立されたデフォルトベアラを介してサービングゲートウェイ（ＳＧＷ）へスモールデータペイロードを送信してよい。
【００５４】
５０８で、ＳＧＷ４４は、ダウンリンクデータ通知メッセージをＭＭＥ５９へ送信してよく、且つ／あるいは、５１４で、ＳＧＷ４４は、ダウンリンク通知メッセージをＳＧＳＮ５７へ送信してよい。５１２で、ＭＭＥ５９は、ダウンリンクデータ通信確認応答メッセージにより応答してよく、且つ／あるいは、５１６で、ＳＧＳＮ５７は、ダウンリンクデータ通知確認応答メッセージにより応答してよい。
【００５５】
５１８で、ＭＭＥ５９は、ＵＥ１５がＭＭＥ５９に登録される場合に、ページングメッセージを基地局へ送信してよい。５２０で、ＳＧＳＮ５７は、ＵＥ１５がＳＧＳＮ５７に登録される場合に、ページングメッセージを無線ネットワークコントローラ／基地局コントローラ（ＲＮＣ／ＢＳＣ４６）へ送信してよい。５２２で、基地局４０は、ページングメッセージをＵＥ１５へ送信してよく、且つ／あるいは、５２４で、ＲＮＣ／ＢＳＣ４６は、ページングメッセージをＵＥ１５へ送信してよい。ページングメッセージは、ダウンリンクスモールデータペイロードがＵＥ１５へ送信されるべきであることをＵＥ１５に示してよい。
【００５６】
５２６で、ページングメッセージに応答して、ＵＥ１５は、基地局４０及び／又はＲＮＣ／ＢＳＣ４６（例えば、図３ａのＲＡＮ２０）とのＲＲＣ接続を確立するよう付属プロセスを実行してよい。５２８で、ＵＥ１５は、ＭＭＥ５９、ＳＧＳＮ５７及び／又はＳＧＷ４４との接続を確立するよう付属プロセス（例えば、サービス要求プロシージャ）を実行してよい。ＳＧＷ４４は、無線アクセス技術（ＲＡＴ）を介してＵＥ１５へスモールデータペイロードを送信してよい。なお、ＲＡＴは、５２８で付属プロセスを実行するために使用されたＲＡＴであってよい。様々な実施形態に従って、５２６でのＲＲＣ接続は、図３ｃの動作３１２ｃに関して記載された実施形態に適合してよく、５２８での付属プロセスは、図３ｄの動作３１４ｄに関して記載された実施形態に適合してよい。
【００５７】
図６は、幾つかの実施形態に従う、スモールデータペイロードを送信する別の更なる他の例となる方法６００を概略的に表す。方法６００は、ＭＴＣｘ又はＭＴＣｙリファレンスポイントを介してＵＥ１５からＭＴＣサーバ５２へスモールデータペイロード（例えば、アップリンク）を送信する方法を表す。
【００５８】
図２及び図６を参照して、ＵＥ１５は、ＭＴＣサーバ５２へスモールデータペイロードを送信するようＭＴＣアプリケーション２４によってトリガされてよい。６０２で、トリガに応答して、ＵＥ１５は、接続要求メッセージをＲＡＮ２０へ送信してよい。ＵＥ１５は、ＮＡＳモジュール及びＡＳ（Access  Stratum）モジュールを有してよい。幾つかの実施形態において、ＮＡＳモジュールは、例えば、６０２での動作をもたらす接続要求メッセージにおいてＵＥ１５のＴＭＳＩ（例えば、Ｓ−ＴＭＳＩ）を含むＲＲＣ接続を確立するようにＡＳモジュールに要求するよう構成されてよい。ＵＥ１５は、短期シグナリングプロシージャが進行中であることをＲＡＮ２０の基地局に示す値を有してよい。例えば、ＵＥ１５は、接続要求メッセージにおける原因値を“mo-Signaling”に設定してよい。そのような動作は、ＳＧＳＮ／ＭＭＥ５８のＭＭＥがセキュリティコンテキストを基地局にダウンロードする可能性を低減させ得る。セキュリティコンテキストによらなければ、ハンドオーバは実行され得ない。無線リソースは、基地局が測定報告を実行するようＵＥ１５を設定しない場合はセーブされ得ない。
【００５９】
６０４で、ＲＡＮ２０の基地局は、ＲＲＣ接続の確立を示すＲＲＣ接続セットアップメッセージを送信してよい。６０６で、ＲＲＣ接続セットアップメッセージの受信に応答して、ＵＥ１５は、ＲＲＣセットアップ完了メッセージの部分としてスモールデータペイロードを基地局へ送信してよい。ＲＲＣセットアップ完了メッセージは、例えば、ＫＳＩ及びシーケンス番号並びに暗号化された形でのスモールデータペイロードを含んでよい。スモールデータペイロードは、幾つかの実施形態においてＮＡＳコンテナにおけるＮＡＳ  ＰＤＵとして送信されてよい。
【００６０】
６０８で、基地局は、Ｓ１アプリケーションプロトコル（Ｓ１−ＡＰ）初期コンテキストメッセージにおいてＳＧＳＮ／ＭＭＥ５８のＭＭＥへ暗号化されたスモールデータペイロード（例えば、ＮＡＳコンテナに含まれる）を転送してよい。ＭＭＥは、スモールデータペイロードを解読し、ＭＴＣ−ＩＷＦ５４へのスモールデータペイロードを含むメッセージにＵＥ１５のアイデンティティ情報を加えるよう構成されてよい。
【００６１】
ＳＧＳＮ／ＭＭＥ５８は、スモールデータペイロードをＭＴＣ−ＩＷＦ５４へＭＴＣｘ又はＭＴＣｙリファレンスポイントを介して転送するよう構成されてよい。一実施形態において、６１０で、ＳＧＳＮ／ＭＭＥ５８は、スモールデータペイロードをＨＬＲ／ＨＳＳ５６へ（例えば、Ｇｒ／Ｓ６ａ／Ｓ６ｄリファレンスポイントを介して）転送してよく、６１２で、ＨＬＲ／ＨＳＳ５６は、スモールデータペイロードをＭＴＣ−ＩＷＦ５４へＭＴＣｙリファレンスポイントを介して転送してよい。他の実施形態では、６１４で、ＳＧＳＮ／ＭＭＥ５８は、スモールデータペイロードをＭＴＣ−ＩＷＦ５４へ直接にＭＴＣｘリファレンスポイントを介して転送するよう構成されてよい。
【００６２】
６１６で、ＭＴＣ−ＩＷＦ５４は、スモールデータペイロードをＭＴＣサーバ５２へ（例えば、ＭＴＣｓｐリファレンスポイントを介して）転送してよい。ＭＴＣサーバ５２は更に、スモールデータペイロードをアプリケーションサーバ２６へ転送してよい。
【００６３】
６１８で、ＳＧＳＮ／ＭＭＥ５８は、スモールデータペイロードがＳＧＳＮ／ＭＭＥ５８によって受信されたか又はＭＴＣ−ＩＷＦ５４へ転送されたとの確認応答を送信してよい。確認応答は、Ｓ１ダウンリンクＮＡＳトランスポートメッセージにおける基地局への暗号化されたＮＡＳ  ＰＤＵにおいてＭＴＣデータ確認応答情報要素を含むメッセージ内にあってよい。幾つかの実施形態において、メッセージは、ＳＧＳＮ／ＭＭＥ５８のＭＭＥがＲＲＣ接続を解放するようＲＡＮ２０の基地局に要求することを可能にする情報要素を更に含んでよい。
【００６４】
６２０で、ＲＡＮ２０の基地局は、確認応答メッセージをＵＥ１５へ送信し、ＲＲＣ接続解放メッセージにおいてＲＲＣ接続を解放してよい。基地局は、ＲＲＣ接続解放メッセージ内のＮＡＳ  ＰＤＵとしてＭＴＣデータ確認応答情報要素を有してよい。
【００６５】
幾つかの実施形態において、ＵＥ１５は、例えば、トラッキングエリア更新、サービス要求、アタッチ要求等のような６０２乃至６０６での動作に代えてＮＡＳシグナリングを実行し、ＮＡＳシグナリングによりＳＧＳＮ／ＭＭＥ５８へのアップリンクスモールデータペイロードを有してよい。幾つかの実施形態において、ＵＥ１５は、ＲＡＮ２０へのアップリンクスモールデータペイロードを有するようＲＲＣシグナリングを実行してよく、ＲＡＮ２０は、Ｓ１によりＳＧＳＮ／ＭＭＥ５８へスモールデータペイロードを転送してよい。Ｓ１は、ＵＥごとでなく共有されてよい。
【００６６】
他の実施形態では、ＵＥ１５は、アップリンクスモールデータペイロードをＭＴＣサーバ５２へユーザプレーンを介して（例えば、ＭＴＣｚリファレンスポイントを介して）送信してよい。例えば、ＵＥ１５は、ＭＴＣサーバ５２との接続（例えば、ユーザ経路（ＵＰ；User  Path）接続）を確立し、（例えば、リファレンスポイントＭＴＣｉを介して）ＭＴＣサーバ５２へ直接にユーザプレーン上でスモールデータペイロードを送信してよい。
【００６７】
図７は、幾つかの実施形態に従う、ＢＷＡネットワーク（図１のＢＷＡネットワーク１００）においてスモールデータペイロードを送信する方法７００のフロー図である。方法７００は、図１乃至６に関して既に記載された実施形態に適合する。
【００６８】
図２及び図７を参照して、７０２で、方法７００は、ＵＥ１５へスモールデータペイロードを送信する要求を受信するステップを有する。例えば、ＭＴＣ−ＩＷＦ５４は、スモールデータペイロードの送信を要求するＭＴＣサーバ５２からのトリガを受信してよい。
【００６９】
７０４で、方法７００は、ＵＥ１５へスモールデータペイロードを送信するためのルートを決定するステップを更に有してよい。コアネットワーク２５におけるＭＴＣ−ＩＷＦ５４のようなモジュールは、ＵＥ１５が接続又は遊休状態モードにあるかどうかを決定することによってルートを決定するよう構成されてよい。例えば、ＭＴＣ−ＩＷＦ５４は、ＵＥ１５がＳＧＳＮ／ＭＭＥ５８と接続されているか又は遊休状態であるかを決定するためにコンテキストがＵＥ１５に関して存在するかどうかを決定するようＨＬＲ／ＨＳＳ５６又はＳＧＳＮ／ＭＭＥ５８にクエリを行ってよい。ＵＥ１５が遊休状態モードにある場合は、ＭＴＣ−ＩＷＦ５４は、ＭＴＣｘ又はＭＴＣｙリファレンスポイントの１つを介してルーティングされてよい。ＵＥ１５が接続モードにある場合は、ＭＴＣ−ＩＷＦ５４は、ＭＴＣｚリファレンスポイントを介してルーティングされてよい。幾つかの実施形態において、ＭＴＣ−ＩＷＦ５４は、ネットワークオペレータポリシーを決定し、ネットワークオペレータポリシーに従ってＭＴＣｘ、ＭＴＣｙ又はＭＴＣｚリファレンスポイントを介して情報をルーティングするようＨＬＲ／ＨＳＳ５６又はＳＧＳＮ／ＭＭＥ５８にクエリを行ってよい。
【００７０】
幾つかの実施形態において、ＭＴＣ−ＩＷＦ５４は、ＭＴＣｚリファレンスポイントを介してスモールデータペイロードを送信しようと試みることによってルートを決定してよい。ＭＴＣｚリファレンスポイントを介して送信しようとの試みが何らかの理由により失敗する場合は、ＭＴＣ−ＩＷＦ５４は、ＭＴＣｘ及び／又はＭＴＣｙリファレンスポイントを介してスモールデータペイロードを送信しようと試みてよい。例えば、ＭＴＣ−ＩＷＦ５４によるＭＴＣｚリファレンスポイントを介したパケットデータネットワークゲートウェイ（ＰＧＷ）への送信が失敗する場合は、ＭＴＣ−ＩＷＦ５４は、ＭＴＣｘリファレンスポイントを介してスモールデータペイロードを送信しようと試みてよい。ＭＴＣ−ＩＷＦ５４によるＭＴＣｘリファレンスポイントを介した送信が失敗する場合は、ＭＴＣ−ＩＷＦ５４は、ＭＴＣｙリファレンスポイントを介してスモールデータペイロードを送信しようと試みてよい。
【００７１】
幾つかの実施形態において、ＭＴＣ−ＩＷＦ５４は、データ経路がＵＥ１５とＧＧＳＮ／ＰＧＷ５１のＰＧＷとの間に確立されるかどうかを決定することによってルートを決定してよい。データ経路が確立されると決定される場合は、ＭＴＣ−ＩＷＦ５４はスモールデータペイロードをＭＴＣｚリファレンスポイントを介してルーティングしてよく、あるいは、ＭＴＣ−ＩＷＦ５４はスモールデータペイロードをＭＴＣｘ又はＭＴＣｙリファレンスポイントを介してルーティングしてよい。それらの技術の組み合わせは、ＵＥ１５へスモールデータペイロードを送信するためのルートを決定するために使用されてよい。
【００７２】
７０６で、方法７００は、スモールデータペイロードをＵＥ１５へ送信するステップを更に有してよい。スモールデータペイロードは、例えば、図３乃至５に関して記載された実施形態を用いて送信されてよい。
【００７３】
７０８で、方法７００は、スモールデータペイロードがＵＥ１５によって受信されたとの確認応答を受信するステップを更に有してよい。確認応答は、図３乃至５に関して記載された実施形態に適合してよい。
【００７４】
本開示の実施形態は、望まれるように構成されるよう何らかの適切なハードウェア及び／又はソフトウェアを用いてシステムに実装されてよい。図８は、ここで記載される様々な実施形態を実施するために使用され得る例となるシステム８００を概略的に表す。図８は、一実施形態に関して、１又はそれ以上のプロセッサ８０４と、プロセッサ８０４の少なくとも１つへ結合されるシステム制御モジュール８０８と、システム制御モジュール８０８へ結合されるシステムメモリ８１２と、システム制御モジュール８０８へ結合される不揮発性メモリ（ＮＶＭ）／記憶装置８１６と、システム制御モジュール８０８へ結合される１又はそれ以上の通信インターフェース８２０とを有する例となるシステム８００を表す。
【００７５】
幾つかの実施形態において、システム８００は、ここで記載されるＵＥ１５として機能することができる。幾つかの実施形態において、ＵＥ１５のシステム制御モジュール８０８は、ここで記載されるＮＡＳモジュール及びＡＳモジュールを有してよい。他の実施形態では、システム８００は、図１の１又はそれ以上のサーバ５０として機能することができ、あるいは、別なふうに、ここで記載される基地局４０、１又はそれ以上のノード、ＭＴＣサーバ５２、ＭＴＣ−ＩＷＦ５４、ＨＬＲ／ＨＳＳ５６、ＳＧＳＮ／ＭＭＥ５８、ＲＡＮ２０、ＰＧＷ４２、及び他のモジュールに関して記載される機能を実行するロジック／モジュールを提供してよい。幾つかの実施形態において、システム８００は、命令を有する１又はそれ以上のコンピュータ可読媒体（例えば、システムメモリ又はＮＶＭ／記憶装置８１６）と、１又はそれ以上のコンピュータ可読媒体に結合され、ここで記載される動作を実行するモジュール（例えば、網間接続機能）を実施するように命令を実行するよう構成される１又はそれ以上のプロセッサ（例えば、プロセッサ８０４）とを有してよい。
【００７６】
一実施形態に係るシステム制御モジュール８０８は、プロセッサ８０４の少なくとも１つへの及び／又はシステム制御モジュール８０８と通信する何らかの適切なデバイス若しくは構成要素への何らかの適切なインターフェースを提供するよう何らかの適切なインターフェースコントローラを有してよい。
【００７７】
システム制御モジュール８０８は、システムメモリ８１２へのインターフェースを提供するようメモリコントローラモジュール８１０を有してよい。メモリコントローラモジュール８１０は、ハードウェアモジュール、ソフトウェアモジュール、及び／又はファームウェアモジュールであってよい。
【００７８】
システムメモリ８１２は、例えば、システム８００のためのデータ及び／又は命令をロードし記憶するために使用されてよい。一実施形態に係るシステムメモリ８１２は、例えば、適切なＤＲＡＭのような何らかの適切な揮発性メモリを有してよい。幾つかの実施形態において、システムメモリ８１２は、ＤＤＲ４ＳＤＲＡＭ（double  data  rate  type  four  synchronous  dynamic  random-access  memory）を有してよい。
【００７９】
一実施形態に係るシステム制御モジュール８０８は、ＮＶＭ／記憶装置８１６及び通信インターフェース８２０へのインターフェースを提供するよう１又はそれ以上の入力／出力（Ｉ／Ｏ）コントローラを有してよい。
【００８０】
ＮＶＭ／記憶装置８１６は、例えば、データ及び／又は命令を記憶するために使用されてよい。ＮＶＭ／記憶装置８１６は、例えば、フラッシュメモリのような何らかの適切な不揮発性メモリを有してよく、且つ／あるいは、１又はそれ以上のハードディスクドライブ（ＨＤＤ）、１又はそれ以上のコンパクトディスク（ＣＤ）及び／又は１又はそれ以上のデジタルバーサタイルディスク（ＤＶＤ）のような何らかの適切な不揮発性記憶デバイスを有してよい。
【００８１】
ＮＶＭ／記憶装置８１６は、システム８００がインストールされるデバイスの物理的な部分である記憶リソースを有してよく、あるいは、それは、そのデバイスの一部によって（しかし、それによらず）アクセス可能であってよい。例えば、ＮＶＭ／記憶装置８１６は、通信インターフェース８２０を介してネットワーク上でアクセスされてよい。
【００８２】
通信インターフェース８２０は、システム８００が１又はそれ以上のネットワークを介して及び／又は何らかの他の適切な装置と通信するためのインターフェースを提供してよい。システム８００は、１又はそれ以上のネットワーク標準及び／又はプロトコルのいずれかに従って無線ネットワークの１又はそれ以上の構成要素と無線により通信してよい。
【００８３】
一実施形態に関して、プロセッサ８０４の少なくとも１つは、システム制御モジュール８０８の１又はそれ以上のコントローラ、例えば、メモリコントローラモジュール８１０のためのロジックとともにパッケージ化されてよい。一実施形態に関して、プロセッサ８０４の少なくとも１つは、システム・イン・パッケージ（ＳｉＰ）を形成するようシステム制御モジュール８０８の１又はそれ以上のコントローラのためのロジックとともにパッケージ化されてよい。一実施形態に関して、プロセッサ８０４の少なくとも１つは、システム制御モジュール８０８の１又はそれ以上のコントローラのためのロジックとともに同じダイに集積されてよい。一実施形態に関して、プロセッサ８０４の少なくとも１つは、システム・オン・チップ（ＳｏＣ）を形成するようシステム制御モジュール８０８の１又はそれ以上のコントローラのためのロジックとともに同じダイに集積されてよい。
【００８４】
様々な実施形態において、システム８００は、サーバ、ワークステーション、デスクトップコンピュータ装置、又はモバイルコンピュータ装置（例えば、ラップトップコンピュータ装置、携帯型コンピュータ装置、タブレット、ネットブック、等）であってよいが、それらに限られない。様々な実施形態において、システム８００は、より多い又は少ない構成要素、及び／又は異なるアーキテクチャを有してよい。例えば、幾つかの実施形態において、システム８００は、カメラ、キーボード、液晶表示（ＬＣＤ）スクリーン（タッチスクリーンディスプレイを含む。）、不揮発性メモリポート、複数のアンテナ、グラフィクスチップ、特定用途向け集積回路（ＡＳＩＣ）及びスピーカの１又はそれ以上を有する。
【００８５】
様々な実施形態に従って、本開示は、命令を有する１又はそれ以上のコンピュータ可読媒体と、１又はそれ以上のコンピュータ可読媒体に結合され、命令を実行して、事前に設定された閾値よりも小さいデータペイロードを無線通信ネットワークを介してＵＥへ送信するトリガをＭＴＣサーバから受信し、ＭＭＥ若しくはＳＧＳＮを含む第１モジュールへの第１リファレンスポイント又はＨＬＲ若しくはＨＳＳを含む第２モジュールへの第２リファレンスポイントを介して、データペイロード及び該データペイロードをＵＥへ転送する要求を送信するようにＩＷＦを実施するよう構成される１又はそれ以上のプロセッサとを有するシステムを記載する。幾つかの実施形態において、ＩＷＦは、データペイロードと、該データペイロードを第１モジュールへの第１リファレンスポイントを介して転送する要求とを送信し、ＭＴＣサーバからのトリガの受信に応答して、第１リファレンスポイントを介してＵＥへデータペイロードを送信するためのルーティングを得るよう第１モジュールと通信するよう構成される。
【００８６】
幾つかの実施形態に従って、ＩＷＦは、データペイロードと、該データペイロードを第２モジュールへの第２リファレンスポイントを介して転送する要求とを送信するよう構成される。幾つかの実施形態において、ＩＷＦは、ＭＴＣサーバからＭＴＣ−ＩＷＦへリファレンスポイントを終端するよう構成されるＭＴＣ−ＩＷＦを有する。幾つかの実施形態において、ＭＴＣ−ＩＷＦは、ＭＴＣサーバを認証し、ＭＴＣサーバからの制御プレーン要求を許可するよう、及びＭＴＣサーバからＭＴＣ−ＩＷＦへリファレンスポイントを介して受信されたシグナリングプロトコルを中継又は変換するよう構成される。幾つかの実施形態において、第１モジュール及び第２モジュールはそれぞれ、無線通信ネットワークの制御プレーンを介してＵＥへデータペイロードを送信するよう構成される。幾つかの実施形態において、ＩＷＦは、ＰＧＷを有する第３モジュールへの第３リファレンスポイントを介してデータペイロードを送信するよう構成され、第３モジュールは、無線通信ネットワークのユーザプレーンを介してＵＥへデータペイロードを送信するよう構成される。幾つかの実施形態において、ＩＷＦは、ＵＥが接続モードにある場合は、第３リファレンスポイントによりデータペイロードを送信し、ＵＥが遊休状態又は接続モードにある場合は、第１リファレンスポイント又は第２リファレンスポイントによりデータペイロードを送信するよう構成される。幾つかの実施形態において、無線通信ネットワークは、ＧＳＭ、ＧＰＲＳ、ＵＭＴＳ、ＨＳＰＡ、Ｅ−ＨＳＰＡ、又はＬＴＥネットワークを含み、無線通信ネットワークは、ＧＥＲＡＮ、ＵＴＲＡＮ又はＥ−ＵＴＲＡＮによってアクセス可能である。
【００８７】
様々な実施形態に従って、本開示は更に、ＭＴＣサーバから、無線通信ネットワーク及びＭＭＥを介してＵＥへＭＴＣデータペイロードを送信するトリガを受信するよう構成されるＩＷＦと、ＩＷＦで終端するリファレンスポイントを介してＩＷＤ吐血号されるＭＭＥ又はＳＧＳＮを含むモジュールとを有し、ＩＷＦは更に、モジュールへのリファレンスポイントを介して、ＭＴＣデータペイロード及びＭＴＣデータペイロードをＵＥへ転送する要求を送信するよう構成される、システムを記載する。幾つかの実施形態において、モジュールは、無線通信ネットワークの基地局へ、ＵＥへ転送されるべきＭＴＣデータペイロード及び／又はＭＴＣデータペイロードの場所を示すスモールデータインジケータを含むページングメッセージを送信するよう構成される。
【００８８】
幾つかの実施形態において、モジュールは、ＭＴＣデータペイロードを含むページングメッセージを基地局へ送信するよう構成され、基地局は、ＭＴＣデータペイロードを含むページングメッセージをＵＥへ送信するよう構成される。幾つかの実施形態において、モジュールは、スモールデータインジケータ及びＭＴＣデータペイロードを含むページングメッセージを基地局へ送信するよう構成され、基地局は、スモールデータインジケータを含むページングメッセージをＵＥへ送信するよう構成され、スモールデータインジケータは、ＭＴＣデータペイロードが基地局にあることを示し、基地局は更に、基地局とＵＥとの間に確立されるＲＲＣ接続を介してＭＴＣデータペイロードを送信するよう構成される。幾つかの実施形態において、モジュールは、スモールデータインジケータを含むページングメッセージを基地局へ送信するよう構成され、スモールデータインジケータは、ＭＴＣデータペイロードがモジュールにあることを示す。幾つかの実施形態において、基地局は、スモールデータインジケータを含むページングメッセージをＵＥへ送信するよう構成される。幾つかの実施形態において、モジュールは、ＵＥによって送信されたＮＡＳメッセージに応答してＵＥへＭＴＣデータペイロードを送信するよう構成され、ＮＡＳメッセージは、ページングメッセージに応答してＵＥによって送信される。
【００８９】
様々な実施形態に従って、本開示は更に、ＭＴＣ−ＩＷＦによってＭＴＣサーバから、事前に設定された閾値よりも小さいデータペイロードを送信するデータペイロードを無線通信ネットワークを介してＵＥへ送信するトリガを受信するステップと、ＭＴＣ−ＩＷＦによってＰＧＷへのリファレンスポイントを介してデータペイロードを送信するステップとを有する方法を記載する。幾つかの実施形態において、ＰＧＷは、データペイロードをＵＥへ無線通信ネットワークのユーザプレーンを介して送信するよう構成される。幾つかの実施形態において、方法は、ＰＧＷによって無線通信ネットワークのＳＧＷへデータペイロードを送信するステップを更に有する。
【００９０】
幾つかの実施形態において、方法は、ＳＧＷによってユーザプレーンを介してＵＥへデータペイロードを送信するステップを更に有する。幾つかの実施形態において、リファレンスポイントは第３リファレンスポイントである。幾つかの実施形態において、方法は、ＭＴＣ−ＩＷＦによってリファレンスポイントを介してＰＧＷへ送信するときにデータペイロードが失敗する場合は、ＭＴＣ−ＩＷＦによって第１リファレンスポイントを介してＭＭＥ若しくはＳＧＳＮを含む第１モジュールへの第１リファレンスポイント又はＨＬＲ若しくはＨＳＳを含む第２モジュールへの第２リファレンスポイントを介してデータペイロード及びデータペイロードをＵＥへ転送する要求を送信するステップを更に有する。幾つかの実施形態において、第１モジュール又は第２モジュールは、データペイロードをＵＥへ無線通信ネットワークの制御プレーンを介して送信するよう構成される。
【００９１】
様々な実施形態に従って、本開示は、アンテナと、アンテナを介して無線通信ネットワークの基地局と通信するよう構成されるプロセッサと、無線通信ネットワークの基地局との無線接続を確立し、無線接続を介してＭＴＣデータペイロードを、ＭＭＥ又はＳＧＳＮを含むモジュールへのＭＴＣデータペイロードの転送のために基地局へ送信するよう構成される制御モジュールとを有し、モジュールは、ＭＴＣ−ＩＷＦへインターフェースを介してＭＴＣデータペイロードを転送するよう構成され、ＭＴＣ−ＩＷＦは、ＭＴＣデータペイロードをＭＴＣサーバへ転送するよう構成される、装置を記載する。幾つかの実施形態において、制御モジュールは、ＮＡＳモジュール及びＡＳモジュールを更に有する。幾つかの実施形態において、制御モジュールは更に、ＮＡＳモジュールによってＡＳモジュールにＴＭＳＩを伴うＲＲＣ接続要求メッセージを基地局へ送信するよう要求することによって基地局との接続を確立するよう構成される。
【００９２】
幾つかの実施形態において、ＲＲＣ接続要求メッセージは、短期シグナリングプロシージャが進行中であることを基地局に示す値を含む。幾つかの実施形態において、制御モジュールは更に、基地局から受信されたＲＲＣ接続セットアップメッセージに応答して送信されるＲＲＣセットアップ完了メッセージの部分として基地局へＭＴＣデータペイロードを送信するよう構成される。幾つかの実施形態において、ＲＲＣ接続セットアップ完了メッセージは、ＫＳＩ及びシーケンス番号並びに暗号化された形式におけるＭＴＣデータペイロードを含む情報を含み、ＭＴＣデータペイロードはＮＡＳコンテナにおいてＮＡＳ  ＰＤＵとして送信される。幾つかの実施形態において、基地局は、Ｓ１−ＡＰ初期コンテキストメッセージにおいてモジュールへＭＴＣデータペイロードを転送するよう構成される。幾つかの実施形態において、モジュールは、ＭＴＣデータペイロードを解読し、ＭＴＣ−ＩＷＦへのＭＴＣデータペイロードを含むメッセージに装置のアイデンティティ情報を加えるよう構成される。
【００９３】
幾つかの実施形態において、制御モジュールは更に、ＭＴＣデータペイロードがモジュールによって受信されたとの確認応答を受信するよう構成される。幾つかの実施形態において、基地局との無線接続はＲＲＣ接続である。幾つかの実施形態において、モジュールは、Ｓ１ダウンリンクＮＡＳトランスポートメッセージにおける暗号化されたＮＡＳ  ＰＤＵにおいて基地局へ確認応答を送信するよう構成される。幾つかの実施形態において、基地局は、装置と基地局との間のＲＲＣ接続を解放するＲＲＣ接続解放メッセージ内のＮＡＳ  ＰＤＵにおいて装置へ確認応答を転送するよう構成される。幾つかの実施形態において、Ｓ１ダウンリンクＮＡＳトランスポートメッセージは、ＲＲＣ接続を解放するための基地局へのモジュールによる要求を更に含む。幾つかの実施形態において、無線接続ネットワークはＩＰベースのネットワークであり、装置は、ラップトップコンピュータ装置、携帯型コンピュータ装置、タブレット、又はネットブックの１つを有するＵＥである。幾つかの実施形態において、装置は、カメラ、キーボード、液晶表示（ＬＣＤ）スクリーン、不揮発性メモリポート、複数のアンテナ、グラフィクスチップ、特定用途向け集積回路（ＡＳＩＣ）、又はスピーカの１又はそれ以上を更に有する。
【００９４】
特定の実施形態が説明のためにここで例示及び記載されてきたが、同じ目的を達成するために求められる多種多様な代替及び／又は同等の実施形態又は実施が、本開示の適用範囲から逸脱するこなしに、図示及び記載される実施形態と置換されてよい。本願は、ここで説明される実施形態の如何なる翻案又は変形もカバーするよう意図される。従って、ここで記載される実施形態は特許請求の範囲及びその均等によってのみ制限されることが明白に意図される。
【００９５】
［関連出願の相互参照］
本願は、２０１１年７月１日付けで出願された米国特許仮出願第６１／５０４０５４号に基づく優先権を主張するものである。なお、この米国出願は、その全文を参照により本願に援用する。
【図１】
2014523181.tif 000003
【図２】
2014523181.tif 000004
【図３ａ】
2014523181.tif 000005
【図３ｂ】
2014523181.tif 000006
【図３ｃ】
2014523181.tif 000007
【図３ｄ】
2014523181.tif 000008
【図４】
2014523181.tif 000009
【図５】
2014523181.tif 000010
【図６】
2014523181.tif 000011
【図７】
2014523181.tif 000012
【図８】
2014523181.tif 000013
【手続補正書】
【提出日】平成26年2月26日(2014.2.26)
【手続補正１】
【補正対象書類名】特許請求の範囲
【補正対象項目名】全文
【補正方法】変更
【補正の内容】
【特許請求の範囲】
【請求項１】
命令を有する１又はそれ以上のコンピュータ可読媒体と、該１又はそれ以上のコンピュータ可読媒体と結合される１又はそれ以上のプロセッサとを有し、
前記１又はそれ以上のプロセッサは、
事前設定された閾値よりも小さいデータペイロードを無線通信ネットワークを介してユーザ設備へ送信するトリガをマシンタイプコミュニケーションサーバから受信し、且つ
ＭＭＥ若しくはＳＧＳＮを含む第１モジュールへの第１リファレンスポイント又はＨＬＲ若しくはＨＳＳを含む第２モジュールへの第２リファレンスポイントを介して、前記データペイロードと、該データペイロードを前記ユーザ設備へ転送する要求とを送信する
ように網間接続機能を実施するよう前記命令を実行するよう構成される、
システム。
【請求項２】
前記網間接続機能は、
前記第１モジュールへの前記第１リファレンスポイントを介して、前記データペイロードと、該データペイロードを転送する前記要求とを送信し、且つ
前記マシンタイプコミュニケーションサーバからの前記トリガの受信に応答して、前記データペイロードを前記ユーザ設備へ前記第１リファレンスポイントを介して送信するためのルーティング情報を得るよう前記第１モジュールと通信する
よう構成される、請求項１に記載のシステム。
【請求項３】
前記網間接続機能は、前記第２モジュールへの前記第２リファレンスポイントを介して、前記データペイロードと、該データペイロードを転送する前記要求とを送信するよう構成される、
請求項１に記載のシステム。
【請求項４】
前記網間接続機能は、マシンタイプコミュニケーション網間接続機能を有し、該マシンタイプコミュニケーション網間接続機能は、前記マシンタイプコミュニケーションサーバから当該マシンタイプコミュニケーション網間接続機能へのリファレンスポイントを終端させるよう構成される、
請求項１に記載のシステム。
【請求項５】
前記マシンタイプコミュニケーション網間接続機能は、前記マシンタイプコミュニケーションサーバを認証し且つ該マシンタイプコミュニケーションサーバからの制御プレーン要求を許可するよう、及び前記マシンタイプコミュニケーションサーバから当該マシンタイプコミュニケーション網間接続機能への前記リファレンスポイントを介して受信されるシグナリングプロトコルを中継又は変換するよう構成される、
請求項４に記載のシステム。
【請求項６】
前記第１モジュール及び前記第２モジュールは夫々、前記無線通信ネットワークの制御プレーンを介して前記ユーザ設備へ前記データペイロードを送信するよう構成される、
請求項１乃至５のうちいずれか一項に記載のシステム。
【請求項７】
前記網間接続機能は、ＰＧＷを含む第３モジュールへの第３リファレンスポイントを介して前記データペイロードを送信するよう構成され、
前記第３モジュールは、前記無線通信ネットワークのユーザプレーンを介して前記ユーザ設備へ前記データペイロードを送信するよう構成される、
請求項１乃至５のうちいずれか一項に記載のシステム。
【請求項８】
前記網間接続機能は、前記ユーザ設備が接続モードにある場合は前記第３リファレンスポイントを用いて前記データペイロードを送信し、前記ユーザ設備が遊休状態又は接続モードにある場合は前記第１リファレンスポイント又は前記第２リファレンスポイントを用いて前記データペイロードを送信するよう構成される、
請求項７に記載のシステム。
【請求項９】
前記無線通信ネットワークは、ＧＳＭ（登録商標）、ＧＰＲＳ、ＵＭＴＳ、ＨＳＰＡ、Ｅ−ＨＳＰＡ、又はＬＴＥネットワークを含み、
前記無線通信ネットワークは、ＧＥＲＡＮ、ＵＴＲＡＮ又はＥ−ＵＴＲＡＮによってアクセスされる、
請求項１乃至５のうちいずれか一項に記載のシステム。
【請求項１０】
マシンタイプコミュニケーション網間接続機能を実装する装置であって、
無線通信ネットワークを介してユーザ設備へトリガペイロードを送信するように該トリガペイロードを含むデバイストリガ要求メッセージをＳＣＳから受信するよう、及び前記トリガペイロード及び該トリガペイロードを前記ユーザ設備へ転送する要求をＭＭＥ又はＳＧＳＮへ送信するよう構成される通信インターフェースと、
前記無線通信ネットワークにより通信が確立される前に前記ＳＣＳを許可するよう、及び該ＳＣＳからの制御プレーン要求を許可するよう構成されるプロセッサと
を有する装置。
【請求項１１】
前記ＭＭＥ又はＳＧＳＮは、前記ユーザ設備へ転送される前記トリガペイロードの場所を示すスモールデータインジケータを含むページングメッセージを前記無線通信ネットワークの基地局へ送信するよう構成される、
請求項１０に記載の装置。
【請求項１２】
前記通信が確立される前に前記ＳＣＮを許可することは、前記ＳＮＳからの制御プレーン要求が許可される前に前記マシンタイプコミュニケーション網間接続機能が前記ＳＮＳを認証すべきことを示す、
請求項１０又は１１に記載の装置。
【請求項１３】
前記ＭＭＥは、前記ユーザ設備が遊休状態モードにある場合に該ユーザ設備を呼び出すよう構成される、
請求項１１に記載の装置。
【請求項１４】
前記ＭＭＥは、前記トリガペイロードが当該ＭＭＥにあることを示す前記スモールデータインジケータを含むページングメッセージを前記基地局へ送信するよう構成される、
請求項１１に記載の装置。
【請求項１５】
マシンタイプコミュニケーションサーバからのマシンタイプコミュニケーション網間接続機能によって、事前設定された閾値よりも小さいデータペイロードを無線通信ネットワークを介してユーザ設備へ送信するトリガを受信するステップと、
前記マシンタイプコミュニケーション網間接続機能によって、ＰＧＷへのリファレンスポイントを介して前記データペイロードを送信するステップと
を有する方法。
【請求項１６】
前記ＰＧＷは、前記無線通信ネットワークのユーザプレーンを介して前記ユーザ設備へ前記データペイロードを送信するよう構成される、
請求項１５に記載の方法。
【請求項１７】
前記ＰＧＷによって、前記無線通信ネットワークのＳＧＷへ前記データペイロードを送信するステップ
を更に有する請求項１５に記載の方法。
【請求項１８】
前記ＳＧＷによって、ユーザプレーンを介して前記ユーザ設備へ前記データペイロードを送信するステップ
を更に有する請求項１７に記載の方法。
【請求項１９】
前記リファレンスポイントは第３リファレンスポイントであり、当該方法は、
ＰＧＷへのリファレンスポイントを介して前記マシンタイプコミュニケーション網間接続機能によって送信するときに前記データペイロードが失敗する場合は、前記マシンタイプコミュニケーション網間接続機能によって、ＭＭＥ若しくはＳＧＳＮを含む第１モジュールへの第１リファレンスポイント又はＨＬＲ若しくはＨＳＳを含む第２モジュールへの第２リファレンスポイントを介して、前記データペイロードと、該データペイロードを前記ユーザ設備へ転送する要求とを送信するステップ
を更に有し、
前記第１モジュール又は前記第２モジュールは、前記無線通信ネットワークの制御プレーンを介して前記ユーザ設備へ前記データペイロードを送信するよう構成される、
請求項１５に記載の方法。
【請求項２０】
アンテナと、該アンテナを介して無線通信ネットワークの基地局と通信するよう構成されるプロセッサと、制御モジュールとを有し、
前記制御モジュールは、
前記無線通信ネットワークの前記基地局との無線接続を確立し、
マシンタイプコミュニケーションデータペイロードをマシンタイプコミュニケーションサーバへ転送するよう構成されるマシンタイプコミュニケーション網間接続機能へのインターフェースを介して前記マシンタイプコミュニケーションデータペイロードを転送するよう構成されるＭＭＥ又はＳＧＳＮを含むモジュールへの前記マシンタイプコミュニケーションデータペイロードの転送のために、前記無線接続を介して前記マシンタイプコミュニケーションデータペイロードを前記基地局へ送信する
よう構成される、装置。
【請求項２１】
前記制御モジュールは、ＮＡＳモジュールと、ＡＳモジュールとを更に有し、
前記制御モジュールは更に、前記基地局へＴＭＳＩを伴うＲＲＣ接続要求メッセージを送信するよう前記ＮＡＳモジュールによって前記ＡＳモジュールに要求することによって、前記基地局との接続を確立するよう構成される、
請求項２０に記載の装置。
【請求項２２】
前記ＲＲＣ接続要求メッセージは、短期シグナリングプロシージャが進行中であることを前記基地局に示す値を含む、
請求項２１に記載の装置。
【請求項２３】
前記制御モジュールは更に、前記基地局から受信されるＲＲＣ接続セットアップメッセージに応答して送信されるＲＲＣセットアップ完了メッセージの部分として前記基地局へ前記マシンタイプコミュニケーションデータペイロードを送信するよう構成される、
請求項２１に記載の装置。
【請求項２４】
前記ＲＲＣ接続セットアップ完了メッセージは、
キーセットアップ識別子及びシーケンス番号を含む情報要素と、
暗号化された形での前記マシンタイプコミュニケーションデータペイロードと
を含み、
前記マシンタイプコミュニケーションデータペイロードは、ＮＡＳコンテナにおけるＮＡＳパケットデータユニットとして送信される、
請求項２３に記載の装置。
【請求項２５】
前記基地局は、Ｓ１−ＡＰ初期コンテキストメッセージにおいて前記モジュールへ前記マシンタイプコミュニケーションデータペイロードを転送するよう構成される、
請求項２０に記載の装置。
【国際調査報告】
2014523181.tif 000014
2014523181.tif 000015